(57)【要約】【課題】ＳＲＳを高い精度で行うことを可能とする。【解決手段】出力端子が第１端子に電気的に接続された、ローノイズアンプと、一端がローノイズアンプの入力端子に電気的に接続された、第１スイッチと、一端が第１スイッチの他端に電気的に接続され、他端が第４端子を介して第１アンテナに電気的に接続される、バンドパスフィルタと、入力端子が第２端子に電気的に接続された、パワーアンプと、一端がパワーアンプの出力端子に電気的に接続され、他端がバンドパスフィルタの一端に電気的に接続された、第２スイッチと、一端がパワーアンプの出力端子に電気的に接続され、他端が第５端子に電気的に接続された、第３スイッチと、一端が第３端子に電気的に接続され、他端が第５端子に電気的に接続された、第４スイッチと、を含む。【選択図】図３
2020182205.tif 000002
【特許請求の範囲】
【請求項１】
第１端子から第５端子までと、
出力端子が前記第１端子に電気的に接続された、ローノイズアンプと、
一端が前記ローノイズアンプの入力端子に電気的に接続された、第１スイッチと、
一端が前記第１スイッチの他端に電気的に接続され、他端が前記第４端子を介して第１アンテナに電気的に接続される、バンドパスフィルタと、
入力端子が前記第２端子に電気的に接続された、パワーアンプと、
一端が前記パワーアンプの出力端子に電気的に接続され、他端が前記バンドパスフィルタの一端に電気的に接続された、第２スイッチと、
一端が前記パワーアンプの出力端子に電気的に接続され、他端が前記第５端子に電気的に接続された、第３スイッチと、
一端が前記第３端子に電気的に接続され、他端が前記第５端子に電気的に接続された、第４スイッチと、
を含む、
高周波信号送受信回路。
【請求項２】
請求項１に記載の高周波信号送受信回路であって、
前記第１アンテナによる送信の場合には、
前記第２スイッチがオン状態になり、前記第１スイッチ、前記第３スイッチ及び前記第４スイッチがオフ状態になり、
前記パワーアンプは、
前記第２端子に入力された高周波送信信号を増幅して、前記第２スイッチを介して前記バンドパスフィルタに出力し、
前記バンドパスフィルタは、
前記高周波送信信号を帯域通過させて、前記第４端子を介して前記第１アンテナに出力する、
高周波信号送受信回路。
【請求項３】
請求項１又は２に記載の高周波信号送受信回路であって、
前記第１アンテナによる受信の場合には、
前記第１スイッチがオン状態になり、前記第２スイッチから前記第４スイッチまでがオフ状態になり、
前記バンドパスフィルタは、
前記第１アンテナから前記第４端子を介して入力された高周波受信信号を帯域通過させて、前記第１スイッチを介して前記ローノイズアンプに出力し、
前記ローノイズアンプは、
前記高周波受信信号を増幅して、前記第１端子から出力する、
高周波信号送受信回路。
【請求項４】
請求項１から３のいずれか１項に記載の高周波信号送受信回路であって、
前記第１アンテナと異なる第２アンテナによる送信の場合には、
前記第３スイッチがオン状態になり、前記第１スイッチ、前記第２スイッチ及び前記第４スイッチがオフ状態になり、
前記パワーアンプは、
前記第２端子に入力された高周波送信信号を増幅して、前記第３スイッチを介して前記第５端子から出力する、
高周波信号送受信回路。
【請求項５】
請求項１から４のいずれか１項に記載の高周波信号送受信回路であって、
前記第１アンテナと異なる第２アンテナによる受信の場合には、
前記第４スイッチがオン状態になり、前記第１スイッチから前記第３スイッチまでがオフ状態になり、
前記第５端子に入力された高周波受信信号は、前記第４スイッチを介して前記第３端子から出力される、
高周波信号送受信回路。
【請求項６】
請求項１から５のいずれか１項に記載の高周波信号送受信回路であって、
第６端子及び第７端子と、
一端が前記第６端子に電気的に接続され、他端が前記第５端子に電気的に接続された、第５スイッチと、
一端が前記第６端子に電気的に接続され、他端が前記バンドパスフィルタの一端に電気的に接続された、第６スイッチと、
一端が前記パワーアンプの出力端子に電気的に接続され、他端が前記第７端子に電気的に接続された、第７スイッチと、
を更に含む、
高周波信号送受信回路。
【請求項７】
請求項６に記載の高周波信号送受信回路であって、
前記第１アンテナと異なる、第３アンテナ又は第４アンテナによる送信の場合には、
前記第７スイッチがオン状態になり、前記第１スイッチから前記第６スイッチまでがオフ状態になり、
前記パワーアンプは、
前記第２端子に入力された高周波送信信号を増幅して、前記第７スイッチを介して前記第７端子から出力する、
高周波信号送受信回路。
【請求項８】
請求項６に記載の高周波信号送受信回路であって、
第８端子と、
一端が前記第８端子に電気的に接続され、他端が前記第５端子に電気的に接続された、第８スイッチと、
を更に含む、
高周波信号送受信回路。
【請求項９】
請求項８に記載の高周波信号送受信回路であって、
前記第６端子に高周波送信信号が入力される場合には、
前記第５スイッチがオン状態になり、前記第１スイッチから前記第４スイッチまで及び前記第６スイッチから前記第８スイッチまでがオフ状態になる、
高周波信号送受信回路。
【請求項１０】
請求項８に記載の高周波信号送受信回路であって、
前記第８端子に高周波送信信号が入力される場合には、
前記第８スイッチがオン状態になり、前記第１スイッチから前記第７スイッチまでがオフ状態になる、
高周波信号送受信回路。
【請求項１１】
第１端子及び第２端子と、
一端が前記第１端子に電気的に接続された、第１スイッチと、
一端が前記第１端子に電気的に接続された、第２スイッチと、
一端が前記第１スイッチの他端に電気的に接続された、第３スイッチと、
一端が前記第３スイッチの他端に電気的に接続され、他端が前記第２端子を介して第２アンテナに電気的に接続される、バンドパスフィルタと、
出力端子が前記第２スイッチの他端に電気的に接続された、ローノイズアンプと、
一端が前記ローノイズアンプの入力端子に電気的に接続され、他端が前記バンドパスフィルタの一端に電気的に接続された、第４スイッチと、
を含む、
高周波信号送受信回路。
【請求項１２】
請求項１１に記載の高周波信号送受信回路であって、
前記第２アンテナによる送信の場合には、
前記第１スイッチ及び前記第３スイッチがオン状態になり、前記第２スイッチ及び前記第４スイッチがオフ状態になり、
前記バンドパスフィルタは、
前記第１端子に入力された高周波送信信号を帯域通過させて、前記第２端子を介して前記第２アンテナに出力する、
高周波信号送受信回路。
【請求項１３】
請求項１１又は１２に記載の高周波信号送受信回路であって、
前記第２アンテナによる受信の場合には、
前記第２スイッチ及び前記第４スイッチがオン状態になり、前記第１スイッチ及び前記第３スイッチがオフ状態になり、
前記バンドパスフィルタは、
前記第２アンテナから前記第２端子を介して入力された高周波受信信号を帯域通過させて、前記第４スイッチを介して前記ローノイズアンプに出力し、
前記ローノイズアンプは、
前記高周波受信信号を増幅して、前記第２スイッチを介して前記第１端子から出力する、
高周波信号送受信回路。
【請求項１４】
請求項１１から１３のいずれか１項に記載の高周波信号送受信回路であって、
第３端子から第５端子までと、
一端が前記第３端子に電気的に接続され、他端が前記第５端子に電気的に接続された、第５スイッチと、
一端が前記第４端子に電気的に接続され、他端が前記第５端子に電気的に接続された、第６スイッチと、
一端が前記第４端子に電気的に接続され、他端が前記バンドパスフィルタの一端に電気的に接続された、第７スイッチと、
を更に含み、
前記第２端子には、前記第２アンテナに代えて、第３アンテナが電気的に接続される、
高周波信号送受信回路。
【請求項１５】
請求項１４に記載の高周波信号送受信回路であって、
前記第３アンテナによる送信の場合には、
前記第７スイッチがオン状態になり、前記第１スイッチから前記第６スイッチがオフ状態になり、
前記バンドパスフィルタは、
前記第４端子に入力された高周波送信信号を帯域通過させて、前記第２端子を介して前記第３アンテナに出力する、
高周波信号送受信回路。
【請求項１６】
請求項１４又は１５に記載の高周波信号送受信回路であって、
前記第３アンテナと異なる第４アンテナによる送信の場合には、
前記第６スイッチがオン状態になり、前記第１スイッチから前記第５スイッチまで及び第７スイッチがオフ状態になり、
前記第４端子に入力された高周波送信信号は、前記第６スイッチを介して前記第５端子から出力される、
高周波信号送受信回路。
【請求項１７】
第１及び第２高周波信号送受信回路を含む、高周波信号送受信装置であって、
前記第１高周波信号送受信回路は、
第１端子から第５端子までと、
出力端子が前記第１端子に電気的に接続された、ローノイズアンプと、
一端が前記ローノイズアンプの入力端子に電気的に接続された、第１スイッチと、
一端が前記第１スイッチの他端に電気的に接続され、他端が前記第４端子を介して第１アンテナに電気的に接続される、バンドパスフィルタと、
入力端子が前記第２端子に電気的に接続された、パワーアンプと、
一端が前記パワーアンプの出力端子に電気的に接続され、他端が前記バンドパスフィルタの一端に電気的に接続された、第２スイッチと、
一端が前記パワーアンプの出力端子に電気的に接続され、他端が前記第５端子に電気的に接続された、第３スイッチと、
一端が前記第３端子に電気的に接続され、他端が前記第５端子に電気的に接続された、第４スイッチと、
を含み、
前記第２高周波信号送受信回路は、
第１端子及び第２端子と、
一端が前記第１端子に電気的に接続された、第１スイッチと、
一端が前記第１端子に電気的に接続された、第２スイッチと、
一端が前記第１スイッチの他端に電気的に接続された、第３スイッチと、
一端が前記第３スイッチの他端に電気的に接続され、他端が前記第２端子を介して第２アンテナに電気的に接続される、バンドパスフィルタと、
出力端子が前記第２スイッチの他端に電気的に接続された、ローノイズアンプと、
一端が前記ローノイズアンプの入力端子に電気的に接続され、他端が前記バンドパスフィルタの一端に電気的に接続された、第４スイッチと、
を含み、
前記第１高周波信号送受信回路の前記第５端子と、前記第２高周波信号送受信回路の前記第１端子とは、電気的に接続される、
高周波信号送受信装置。
【請求項１８】
第１高周波信号送受信回路から第４高周波信号送受信回路までを含む、高周波信号送受信装置であって、
前記第１及び第３高周波信号送受信回路の各々は、
第１端子から第７端子までと、
出力端子が前記第１端子に電気的に接続された、ローノイズアンプと、
一端が前記ローノイズアンプの入力端子に電気的に接続された、第１スイッチと、
一端が前記第１スイッチの他端に電気的に接続され、他端が前記第４端子に電気的に接続された、バンドパスフィルタと、
入力端子が前記第２端子に電気的に接続された、パワーアンプと、
一端が前記パワーアンプの出力端子に電気的に接続され、他端が前記バンドパスフィルタの一端に電気的に接続された、第２スイッチと、
一端が前記パワーアンプの出力端子に電気的に接続され、他端が前記第５端子に電気的に接続された、第３スイッチと、
一端が前記第３端子に電気的に接続され、他端が前記第５端子に電気的に接続された、第４スイッチと、
一端が前記第６端子に電気的に接続され、他端が前記第５端子に電気的に接続された、第５スイッチと、
一端が前記第６端子に電気的に接続され、他端が前記バンドパスフィルタの一端に電気的に接続された、第６スイッチと、
一端が前記パワーアンプの出力端子に電気的に接続され、他端が前記第７端子に電気的に接続された、第７スイッチと、
を含み、
前記第２及び第４高周波信号送受信回路の各々は、
第１端子及び第２端子と、
一端が前記第１端子に電気的に接続された、第１スイッチと、
一端が前記第１端子に電気的に接続された、第２スイッチと、
一端が前記第１スイッチの他端に電気的に接続された、第３スイッチと、
一端が前記第３スイッチの他端に電気的に接続され、他端が前記第２端子に電気的に接続された、バンドパスフィルタと、
出力端子が前記第２スイッチの他端に電気的に接続された、ローノイズアンプと、
一端が前記ローノイズアンプの入力端子に電気的に接続され、他端が前記バンドパスフィルタの一端に電気的に接続された、第４スイッチと、
を含み、
前記第１高周波信号送受信回路の前記第４端子は、第１アンテナに電気的に接続され、
前記第２高周波信号送受信回路の前記第２端子は、第２アンテナに電気的に接続され、
前記第３高周波信号送受信回路の前記第４端子は、第３アンテナに電気的に接続され、
前記第４高周波信号送受信回路の前記第２端子は、第４アンテナに電気的に接続され、
前記第１高周波信号送受信回路の前記第５端子と、前記第２高周波信号送受信回路の前記第１端子とは、電気的に接続され、
前記第１高周波信号送受信回路の前記第７端子と、前記第３高周波信号送受信回路の前記第６端子とは、電気的に接続され、
前記第３高周波信号送受信回路の前記第５端子と、前記第４高周波信号送受信回路の前記第１端子とは、電気的に接続される、
高周波信号送受信装置。
【請求項１９】
請求項１８に記載の高周波信号送受信装置であって、
前記第１及び第３高周波信号送受信回路の各々は、
第８端子と、
一端が前記第８端子に電気的に接続され、他端が前記第５端子に電気的に接続された、第８スイッチと、
を更に含む、
高周波信号送受信装置。
【請求項２０】
第１高周波信号送受信回路から第４高周波信号送受信回路までを含む、高周波信号送受信装置であって、
前記第１高周波信号送受信回路は、
第１端子から第７端子までと、
出力端子が前記第１端子に電気的に接続された、ローノイズアンプと、
一端が前記ローノイズアンプの入力端子に電気的に接続された、第１スイッチと、
一端が前記第１スイッチの他端に電気的に接続され、他端が前記第４端子に電気的に接続された、バンドパスフィルタと、
入力端子が前記第２端子に電気的に接続された、パワーアンプと、
一端が前記パワーアンプの出力端子に電気的に接続され、他端が前記バンドパスフィルタの一端に電気的に接続された、第２スイッチと、
一端が前記パワーアンプの出力端子に電気的に接続され、他端が前記第５端子に電気的に接続された、第３スイッチと、
一端が前記第３端子に電気的に接続され、他端が前記第５端子に電気的に接続された、第４スイッチと、
一端が前記第６端子に電気的に接続され、他端が前記第５端子に電気的に接続された、第５スイッチと、
一端が前記第６端子に電気的に接続され、他端が前記バンドパスフィルタの一端に電気的に接続された、第６スイッチと、
一端が前記パワーアンプの出力端子に電気的に接続され、他端が前記第７端子に電気的に接続された、第７スイッチと、
を含み、
前記第２及び第４高周波信号送受信回路の各々は、
第１端子及び第２端子と、
一端が前記第１端子に電気的に接続された、第１スイッチと、
一端が前記第１端子に電気的に接続された、第２スイッチと、
一端が前記第１スイッチの他端に電気的に接続された、第３スイッチと、
一端が前記第３スイッチの他端に電気的に接続され、他端が前記第２端子に電気的に接続された、バンドパスフィルタと、
出力端子が前記第２スイッチの他端に電気的に接続された、ローノイズアンプと、
一端が前記ローノイズアンプの入力端子に電気的に接続され、他端が前記バンドパスフィルタの一端に電気的に接続された、第４スイッチと、
を含み、
前記第３高周波信号送受信回路は、
第１端子から第５端子までと、
一端が前記第１端子に電気的に接続された、第１スイッチと、
一端が前記第１端子に電気的に接続された、第２スイッチと、
一端が前記第１スイッチの他端に電気的に接続された、第３スイッチと、
一端が前記第３スイッチの他端に電気的に接続され、他端が前記第２端子に電気的に接続された、バンドパスフィルタと、
出力端子が前記第２スイッチの他端に電気的に接続された、ローノイズアンプと、
一端が前記ローノイズアンプの入力端子に電気的に接続され、他端が前記バンドパスフィルタの一端に電気的に接続された、第４スイッチと、
一端が前記第３端子に電気的に接続され、他端が前記第５端子に電気的に接続された、第５スイッチと、
一端が前記第４端子に電気的に接続され、他端が前記第５端子に電気的に接続された、第６スイッチと、
一端が前記第４端子に電気的に接続され、他端が前記バンドパスフィルタの一端に電気的に接続された、第７スイッチと、
を含み、
前記第１高周波信号送受信回路の前記第４端子は、第１アンテナに電気的に接続され、
前記第２高周波信号送受信回路の前記第２端子は、第２アンテナに電気的に接続され、
前記第３高周波信号送受信回路の前記第２端子は、第３アンテナに電気的に接続され、
前記第４高周波信号送受信回路の前記第２端子は、第４アンテナに電気的に接続され、
前記第１高周波信号送受信回路の前記第５端子と、前記第２高周波信号送受信回路の前記第１端子とは、電気的に接続され、
前記第１高周波信号送受信回路の前記第７端子と、前記第３高周波信号送受信回路の前記第４端子とは、電気的に接続され、
前記第３高周波信号送受信回路の前記第５端子と、前記第４高周波信号送受信回路の前記第１端子とは、電気的に接続される、
高周波信号送受信装置。
【発明の詳細な説明】
【技術分野】
【０００１】
本発明は、高周波信号送受信回路及び高周波信号送受信装置に関する。
【背景技術】
【０００２】
携帯電話装置で例示される移動体通信装置において、ＳＲＳ（sound  reference  signaling）が行われる。ＳＲＳは、移動体通信装置内の各アンテナポートと基地局との間の伝送経路の電力及び遅延をモニタリングすることである。
【０００３】
下記の非特許文献１には、送信用アンテナが１つで受信用アンテナが２つの構成の場合（以下、「１Ｔ２Ｒ」と称する）、送信用アンテナが２つで受信用アンテナが４つの構成の場合（以下、「２Ｔ４Ｒ」と称する）、送信用アンテナが１つで受信用アンテナが４つの構成の場合（以下、「１Ｔ４Ｒ」と称する）のＳＲＳが、記載されている。
【先行技術文献】
【非特許文献】
【０００４】
【非特許文献１】“Remaining  issues  on  SRS”、［online］、２０１８年４月１６日−２０日、3GPP  TSG  RAN  WG1  Meeting  #92bis  R1-1803749、［平成３１年３月２９日検索］、インターネット（URL:http://www.3gpp.org/ftp/TSG_RAN/WG1_RL1/TSGR1_92b/Docs/R1-1803749.zip）
【発明の概要】
【発明が解決しようとする課題】
【０００５】
移動体通信装置内で、ＳＲＳ送信信号が伝搬する経路（バンドパスフィルタやスイッチなど）の経路損失（電気的特性）と、受信信号が伝搬する経路の経路損失と、の差が大きいと、ＳＲＳを高い精度で行うことが出来ない。
【０００６】
本発明は、上記に鑑みてなされたものであって、ＳＲＳを高い精度で行うことを目的とする。
【課題を解決するための手段】
【０００７】
本発明の一側面の高周波信号送受信回路は、第１端子から第５端子までと、出力端子が第１端子に電気的に接続された、ローノイズアンプと、一端がローノイズアンプの入力端子に電気的に接続された、第１スイッチと、一端が第１スイッチの他端に電気的に接続され、他端が第４端子を介して第１アンテナに電気的に接続される、バンドパスフィルタと、入力端子が第２端子に電気的に接続された、パワーアンプと、一端がパワーアンプの出力端子に電気的に接続され、他端がバンドパスフィルタの一端に電気的に接続された、第２スイッチと、一端がパワーアンプの出力端子に電気的に接続され、他端が第５端子に電気的に接続された、第３スイッチと、一端が第３端子に電気的に接続され、他端が第５端子に電気的に接続された、第４スイッチと、を含む。
【０００８】
本発明の一側面の高周波信号送受信回路は、第１端子及び第２端子と、一端が第１端子に電気的に接続された、第１スイッチと、一端が第１端子に電気的に接続された、第２スイッチと、一端が第１スイッチの他端に電気的に接続された、第３スイッチと、一端が第３スイッチの他端に電気的に接続され、他端が第２端子を介して第２アンテナに電気的に接続される、バンドパスフィルタと、出力端子が第２スイッチの他端に電気的に接続された、ローノイズアンプと、一端がローノイズアンプの入力端子に電気的に接続され、他端がバンドパスフィルタの一端に電気的に接続された、第４スイッチと、を含む。
【０００９】
本発明の一側面の高周波信号送受信装置は、第１及び第２高周波信号送受信回路を含む、高周波信号送受信装置であって、第１高周波信号送受信回路は、第１端子から第５端子までと、出力端子が第１端子に電気的に接続された、ローノイズアンプと、一端がローノイズアンプの入力端子に電気的に接続された、第１スイッチと、一端が第１スイッチの他端に電気的に接続され、他端が第４端子を介して第１アンテナに電気的に接続される、バンドパスフィルタと、入力端子が第２端子に電気的に接続された、パワーアンプと、一端がパワーアンプの出力端子に電気的に接続され、他端がバンドパスフィルタの一端に電気的に接続された、第２スイッチと、一端がパワーアンプの出力端子に電気的に接続され、他端が第５端子に電気的に接続された、第３スイッチと、一端が第３端子に電気的に接続され、他端が第５端子に電気的に接続された、第４スイッチと、を含む。第２高周波信号送受信回路は、第１端子及び第２端子と、一端が第１端子に電気的に接続された、第１スイッチと、一端が第１端子に電気的に接続された、第２スイッチと、一端が第１スイッチの他端に電気的に接続された、第３スイッチと、一端が第３スイッチの他端に電気的に接続され、他端が第２端子を介して第２アンテナに電気的に接続される、バンドパスフィルタと、出力端子が第２スイッチの他端に電気的に接続された、ローノイズアンプと、一端がローノイズアンプの入力端子に電気的に接続され、他端がバンドパスフィルタの一端に電気的に接続された、第４スイッチと、を含む。第１高周波信号送受信回路の第５端子と、第２高周波信号送受信回路の第１端子とは、電気的に接続される。
【００１０】
本発明の一側面の高周波信号送受信装置は、第１高周波信号送受信回路から第４高周波信号送受信回路までを含む、高周波信号送受信装置であって、第１及び第３高周波信号送受信回路の各々は、第１端子から第７端子までと、出力端子が第１端子に電気的に接続された、ローノイズアンプと、一端がローノイズアンプの入力端子に電気的に接続された、第１スイッチと、一端が第１スイッチの他端に電気的に接続され、他端が第４端子に電気的に接続された、バンドパスフィルタと、入力端子が第２端子に電気的に接続された、パワーアンプと、一端がパワーアンプの出力端子に電気的に接続され、他端がバンドパスフィルタの一端に電気的に接続された、第２スイッチと、一端がパワーアンプの出力端子に電気的に接続され、他端が第５端子に電気的に接続された、第３スイッチと、一端が第３端子に電気的に接続され、他端が第５端子に電気的に接続された、第４スイッチと、一端が第６端子に電気的に接続され、他端が第５端子に電気的に接続された、第５スイッチと、一端が第６端子に電気的に接続され、他端がバンドパスフィルタの一端に電気的に接続された、第６スイッチと、一端がパワーアンプの出力端子に電気的に接続され、他端が第７端子に電気的に接続された、第７スイッチと、を含む。第２及び第４高周波信号送受信回路の各々は、第１端子及び第２端子と、一端が第１端子に電気的に接続された、第１スイッチと、一端が第１端子に電気的に接続された、第２スイッチと、一端が第１スイッチの他端に電気的に接続された、第３スイッチと、一端が第３スイッチの他端に電気的に接続され、他端が第２端子に電気的に接続された、バンドパスフィルタと、出力端子が第２スイッチの他端に電気的に接続された、ローノイズアンプと、一端がローノイズアンプの入力端子に電気的に接続され、他端がバンドパスフィルタの一端に電気的に接続された、第４スイッチと、を含む。第１高周波信号送受信回路の第４端子は、第１アンテナに電気的に接続され、第２高周波信号送受信回路の第２端子は、第２アンテナに電気的に接続され、第３高周波信号送受信回路の第４端子は、第３アンテナに電気的に接続され、第４高周波信号送受信回路の第２端子は、第４アンテナに電気的に接続され、第１高周波信号送受信回路の第５端子と、第２高周波信号送受信回路の第１端子とは、電気的に接続され、第１高周波信号送受信回路の第７端子と、第３高周波信号送受信回路の第６端子とは、電気的に接続され、第３高周波信号送受信回路の第５端子と、第４高周波信号送受信回路の第１端子とは、電気的に接続される。
【００１１】
本発明の一側面の高周波信号送受信装置は、第１高周波信号送受信回路から第４高周波信号送受信回路までを含む、高周波信号送受信装置であって、第１高周波信号送受信回路は、第１端子から第７端子までと、出力端子が第１端子に電気的に接続された、ローノイズアンプと、一端がローノイズアンプの入力端子に電気的に接続された、第１スイッチと、一端が第１スイッチの他端に電気的に接続され、他端が第４端子に電気的に接続された、バンドパスフィルタと、入力端子が第２端子に電気的に接続された、パワーアンプと、一端がパワーアンプの出力端子に電気的に接続され、他端がバンドパスフィルタの一端に電気的に接続された、第２スイッチと、一端がパワーアンプの出力端子に電気的に接続され、他端が第５端子に電気的に接続された、第３スイッチと、一端が第３端子に電気的に接続され、他端が第５端子に電気的に接続された、第４スイッチと、一端が第６端子に電気的に接続され、他端が第５端子に電気的に接続された、第５スイッチと、一端が第６端子に電気的に接続され、他端がバンドパスフィルタの一端に電気的に接続された、第６スイッチと、一端がパワーアンプの出力端子に電気的に接続され、他端が第７端子に電気的に接続された、第７スイッチと、を含む。第２及び第４高周波信号送受信回路の各々は、第１端子及び第２端子と、一端が第１端子に電気的に接続された、第１スイッチと、一端が第１端子に電気的に接続された、第２スイッチと、一端が第１スイッチの他端に電気的に接続された、第３スイッチと、一端が第３スイッチの他端に電気的に接続され、他端が第２端子に電気的に接続された、バンドパスフィルタと、出力端子が第２スイッチの他端に電気的に接続された、ローノイズアンプと、一端がローノイズアンプの入力端子に電気的に接続され、他端がバンドパスフィルタの一端に電気的に接続された、第４スイッチと、を含む。第３高周波信号送受信回路は、第１端子から第５端子までと、一端が第１端子に電気的に接続された、第１スイッチと、一端が第１端子に電気的に接続された、第２スイッチと、一端が第１スイッチの他端に電気的に接続された、第３スイッチと、一端が第３スイッチの他端に電気的に接続され、他端が第２端子に電気的に接続された、バンドパスフィルタと、出力端子が第２スイッチの他端に電気的に接続された、ローノイズアンプと、一端がローノイズアンプの入力端子に電気的に接続され、他端がバンドパスフィルタの一端に電気的に接続された、第４スイッチと、一端が第３端子に電気的に接続され、他端が第５端子に電気的に接続された、第５スイッチと、一端が第４端子に電気的に接続され、他端が第５端子に電気的に接続された、第６スイッチと、一端が第４端子に電気的に接続され、他端がバンドパスフィルタの一端に電気的に接続された、第７スイッチと、を含む。第１高周波信号送受信回路の第４端子は、第１アンテナに電気的に接続され、第２高周波信号送受信回路の第２端子は、第２アンテナに電気的に接続され、第３高周波信号送受信回路の第２端子は、第３アンテナに電気的に接続され、第４高周波信号送受信回路の第２端子は、第４アンテナに電気的に接続され、第１高周波信号送受信回路の第５端子と、第２高周波信号送受信回路の第１端子とは、電気的に接続され、第１高周波信号送受信回路の第７端子と、第３高周波信号送受信回路の第４端子とは、電気的に接続され、第３高周波信号送受信回路の第５端子と、第４高周波信号送受信回路の第１端子とは、電気的に接続される。
【発明の効果】
【００１２】
本発明によれば、ＳＲＳを高い精度で行うことが可能となる。
【図面の簡単な説明】
【００１３】
【図１】比較例の高周波信号送受信装置の回路構成を示す図である。
【図２】比較例の高周波信号送受信装置の動作を説明する図である。
【図３】第１の実施の形態の高周波信号送受信装置の回路構成を示す図である。
【図４】第１の実施の形態の高周波信号送受信装置の動作を説明する図である。
【図５】比較例と第１の実施の形態との比較を示す図である。
【図６】第２の実施の形態の高周波信号送受信装置の回路構成を示す図である。
【図７】第２の実施の形態の高周波信号送受信装置の動作を説明する図である。
【図８】第３の実施の形態の高周波信号送受信装置の回路構成を示す図である。
【図９】第３の実施の形態の高周波信号送受信装置の動作を説明する図である。
【図１０】第４の実施の形態の高周波信号送受信装置の回路構成を示す図である。
【発明を実施するための形態】
【００１４】
以下に、本発明の高周波信号送受信回路及び高周波信号送受信装置の実施の形態を図面に基づいて詳細に説明する。なお、この実施の形態により本発明が限定されるものではない。各実施の形態は例示であり、異なる実施の形態で示した構成の部分的な置換又は組み合わせが可能であることは言うまでもない。第２の実施の形態以降では第１の実施の形態と共通の事柄についての記述を省略し、異なる点についてのみ説明する。特に、同様の構成による同様の作用効果については実施形態毎には逐次言及しない。
【００１５】
＜第１の実施の形態＞
以下、第１の実施の形態について説明するが、第１の実施の形態の理解を容易にするため、先に比較例について説明する。
【００１６】
（比較例）
図１は、比較例の高周波信号送受信装置の回路構成を示す図である。高周波信号送受信装置１００は、モジュールＭ１０１及びＭ１０２を含む。モジュールＭ１０１は、アンテナＡＮＴ１に電気的に接続されている。モジュールＭ１０２は、アンテナＡＮＴ２に電気的に接続されている。
【００１７】
高周波信号送受信装置１００は、通常の通信の場合に、アンテナＡＮＴ１から電波を送信し、アンテナＡＮＴ１及びＡＮＴ２で電波を受信する、１Ｔ２Ｒに対応する。なお、高周波信号送受信装置１００を２個設けることで、２Ｔ４Ｒに対応可能である。
【００１８】
本開示において、通常の通信は、ユーザデータや音声などの通信であり、ＳＲＳ（sound  reference  signaling）以外の通信を表すものとする。
【００１９】
高周波信号送受信装置１００は、ＳＲＳの通信の場合に、アンテナＡＮＴ１から電波を送信する。また、高周波信号送受信装置１００は、ＳＲＳの通信の場合に、アンテナＡＮＴ２から電波を送信する。通常、アンテナＡＮＴ２は、受信専用のアンテナではあるものの、ＳＲＳでは、アンテナ２と基地局の通信状態や損失をみるために、パワーアンプＰＡ１１からでた送信信号をアンテナＡＮＴ２で送信させる。
【００２０】
モジュールＭ１０１は、端子Ｒ１１、Ｔ１１、Ｅ１２、Ａ１１及びＥ１１と、ローノイズアンプＬＮＡ１１と、パワーアンプＰＡ１１と、スイッチ群Ｓ１０１と、バンドパスフィルタＢＰＦ１１と、スイッチ群Ｓ１０２と、制御ＩＣ１０３と、を含む。スイッチ群Ｓ１０１は、スイッチＳ１−１及びＳ１−２を含む。スイッチ群Ｓ１０２は、スイッチＳ２−１、Ｓ２−２及びＳ２−３を含む。
【００２１】
ローノイズアンプＬＮＡ１１の出力端子は、端子Ｒ１１に電気的に接続されている。ローノイズアンプＬＮＡ１１の入力端子は、スイッチＳ１−１の一端に電気的に接続されている。スイッチＳ１−１の他端は、バンドパスフィルタＢＰＦ１１の一端に電気的に接続されている。
【００２２】
パワーアンプＰＡ１１の入力端子は、端子Ｔ１１に電気的に接続されている。パワーアンプＰＡ１１の出力端子は、スイッチＳ１−２の一端に電気的に接続されている。スイッチＳ１−２の他端は、バンドパスフィルタＢＰＦ１１の一端に電気的に接続されている。
【００２３】
バンドパスフィルタＢＰＦ１１の他端は、スイッチＳ２−１の一端及びスイッチＳ２−２の一端に電気的に接続されている。スイッチＳ２−１の他端は、端子Ａ１１に電気的に接続されている。端子Ａ１１は、アンテナＡＮＴ１に電気的に接続されている。スイッチＳ２−２の他端は、端子Ｅ１１に電気的に接続されている。
【００２４】
スイッチＳ２−３の一端は、端子Ｅ１２に電気的に接続されている。スイッチＳ２−３の他端は、端子Ｅ１１に電気的に接続されている。
【００２５】
スイッチ群Ｓ１０１内の各スイッチは、制御ＩＣ１０３から入力される制御信号Ｓｉｇ１０１に基づいて、オン状態又はオフ状態になる。スイッチ群Ｓ１０２内の各スイッチは、制御ＩＣ１０３から入力される制御信号Ｓｉｇ１０２に基づいて、オン状態又はオフ状態になる。
【００２６】
モジュールＭ１０２は、端子Ｒ２１及びＡ２１と、スイッチ群Ｓ１０３と、ローノイズアンプＬＮＡ２１と、バンドパスフィルタＢＰＦ２１と、スイッチ群Ｓ１０４と、制御ＩＣ１０４と、を含む。スイッチ群Ｓ１０３は、スイッチＳ３−１及びＳ３−２を含む。スイッチ群Ｓ１０４は、スイッチＳ４−１及びＳ４−２を含む。
【００２７】
バンドパスフィルタＢＰＦ２１の通過帯域は、バンドパスフィルタＢＰＦ１１の通過帯域と同じとするが、本開示はこれに限定されない。
【００２８】
スイッチＳ３−１の一端は、端子Ｒ２１に電気的に接続されている。スイッチＳ３−１の他端は、スイッチＳ４−１の一端に電気的に接続されている。スイッチＳ４−１の他端は、端子Ａ２１に電気的に接続されている。
【００２９】
スイッチＳ３−２の一端は、端子Ｒ２１に電気的に接続されている。スイッチＳ３−２の他端は、ローノイズアンプＬＮＡ２１の出力端子に電気的に接続されている。ローノイズアンプＬＮＡ２１の入力端子は、バンドパスフィルタＢＰＦ２１の一端に電気的に接続されている。バンドパスフィルタＢＰＦ２１の他端は、スイッチＳ４−２の一端に電気的に接続されている。スイッチＳ４−２の他端は、端子Ａ２１に電気的に接続されている。端子Ａ２１は、アンテナＡＮＴ２に電気的に接続されている。
【００３０】
スイッチ群Ｓ１０３内の各スイッチは、制御ＩＣ１０４から入力される制御信号Ｓｉｇ１０３に基づいて、オン状態又はオフ状態になる。スイッチ群Ｓ１０４内の各スイッチは、制御ＩＣ１０４から入力される制御信号Ｓｉｇ１０４に基づいて、オン状態又はオフ状態になる。
【００３１】
図２は、比較例の高周波信号送受信装置の動作を説明する図である。詳しくは、図２は、（Ｔ）送信の場合、及び、（Ｒ）受信の場合に、高周波信号が通過する、モジュールＭ１０１及びＭ１０２内の部位を表す表１２０を示す図である。
【００３２】
（Ｔ）送信の場合は、
（Ｔ−１−１）アンテナＡＮＴ１による送信（通常）の場合、
（Ｔ−１−２）アンテナＡＮＴ１による送信（ＳＲＳ）の場合、
（Ｔ−２）アンテナＡＮＴ２による送信（ＳＲＳ）の場合、
を含む。
（Ｒ）受信の場合は、
（Ｒ−１）アンテナＡＮＴ１による受信（通常）の場合、
（Ｒ−２）アンテナＡＮＴ２による受信（通常）の場合、
を含む。
【００３３】
（Ｔ−１−１）アンテナＡＮＴ１による送信（通常）の場合について、説明する。表１２０内の第２行１２２が、アンテナＡＮＴ１による送信（通常）の場合に、高周波送信信号ＴＸが通過する、モジュールＭ１０１内の部位を示す。
【００３４】
アンテナＡＮＴ１による送信（通常）の場合には、スイッチＳ１−１は、制御信号Ｓｉｇ１０１に基づいて、オフ状態になる。スイッチＳ１−２は、制御信号Ｓｉｇ１０１に基づいて、オン状態になる。スイッチＳ２−１は、制御信号Ｓｉｇ１０２に基づいて、オン状態になる。スイッチＳ２−２及びＳ２−３は、制御信号Ｓｉｇ１０２に基づいて、オフ状態になる。
【００３５】
高周波送信信号ＴＸが、モジュールＭ１０１の左側の端子Ｔ１１に入力される。パワーアンプＰＡ１１は、高周波送信信号ＴＸを増幅して、スイッチＳ１−２の一端に出力する。スイッチＳ１−２を通過した後の高周波送信信号ＴＸは、バンドパスフィルタＢＰＦ１１に入力される。バンドパスフィルタＢＰＦ１１は、高周波送信信号ＴＸを帯域通過させる。バンドパスフィルタＢＰＦ１１を通過した後の高周波送信信号ＴＸは、スイッチＳ２−１の一端に入力される。スイッチＳ２−１を通過した後の高周波送信信号ＴＸは、モジュールＭ１０１の右側の端子Ａ１１を介して、アンテナＡＮＴ１に出力される。
【００３６】
（Ｔ−１−２）アンテナＡＮＴ１による送信（ＳＲＳ）の場合は、（Ｔ−１−１）アンテナＡＮＴ１による送信（通常）の送信の場合と同様であるので、説明を省略する。表１２０内の第３行１２３が、アンテナＡＮＴ１による送信（ＳＲＳ）の場合に、ＳＲＳ送信信号ＳＲＳＴが通過する、モジュールＭ１０１内の部位を示す。
【００３７】
（Ｔ−２）アンテナＡＮＴ２による送信（ＳＲＳ）の場合について、説明する。表１２０内の第５行１２５が、アンテナＡＮＴ２による送信（ＳＲＳ）の場合に、ＳＲＳ送信信号ＳＲＳＴが通過する、モジュールＭ１０１及びＭ１０２内の部位を示す。
【００３８】
アンテナＡＮＴ２による送信（ＳＲＳ）の場合には、スイッチＳ１−１は、制御信号Ｓｉｇ１０１に基づいて、オフ状態になる。スイッチＳ１−２は、制御信号Ｓｉｇ１０１に基づいて、オン状態になる。スイッチＳ２−１及びＳ２−３は、制御信号Ｓｉｇ１０２に基づいて、オフ状態になる。スイッチＳ２−２は、制御信号Ｓｉｇ１０２に基づいて、オン状態になる。スイッチＳ３−１は、制御信号Ｓｉｇ１０３に基づいて、オン状態になる。スイッチＳ３−２は、制御信号Ｓｉｇ１０３に基づいて、オフ状態になる。スイッチＳ４−１は、制御信号Ｓｉｇ１０４に基づいて、オン状態になる。スイッチＳ４−２は、制御信号Ｓｉｇ１０４に基づいて、オフ状態になる。
【００３９】
ＳＲＳ送信信号ＳＲＳＴが、モジュールＭ１０１の左側の端子Ｔ１１に入力される。パワーアンプＰＡ１１は、ＳＲＳ送信信号ＳＲＳＴを増幅して、スイッチＳ１−２の一端に出力する。スイッチＳ１−２を通過した後のＳＲＳ送信信号ＳＲＳＴは、バンドパスフィルタＢＰＦ１１に入力される。バンドパスフィルタＢＰＦ１１は、ＳＲＳ送信信号ＳＲＳＴを帯域通過させる。バンドパスフィルタＢＰＦ１１を通過した後のＳＲＳ送信信号ＳＲＳＴは、スイッチＳ２−２の一端に入力される。スイッチＳ２−２を通過した後のＳＲＳ送信信号ＳＲＳＴは、モジュールＭ１０１の右側の端子Ｅ１１及びモジュールＭ１０２の左側の端子Ｒ２１を介して、スイッチＳ３−１の一端に入力される。スイッチＳ３−１を通過した後のＳＲＳ送信信号ＳＲＳＴは、スイッチＳ４−１の一端に入力される。スイッチＳ４−１を通過した後のＳＲＳ送信信号ＳＲＳＴは、モジュールＭ１０２の右側の端子Ａ２１を介して、アンテナＡＮＴ２に出力される。
【００４０】
図１中の矢印１１１が、ＳＲＳ送信信号ＳＲＳＴが通過する、伝送経路を示す。矢印１１１で示すように、ＳＲＳ送信信号ＳＲＳＴは、端子Ｔ１１→パワーアンプＰＡ１１→スイッチＳ１−２→バンドパスフィルタＢＰＦ１１→スイッチＳ２−２→端子Ｅ１１→端子Ｒ２１→スイッチＳ３−１→スイッチＳ４−１→端子Ａ２１→アンテナＡＮＴ２の経路で、伝送される。
【００４１】
（Ｒ−１）アンテナＡＮＴ１による受信（通常）の場合について、説明する。表１２０内の第１行１２１が、アンテナＡＮＴ１による受信（通常）の場合に、高周波受信信号ＲＸ１が通過する、モジュールＭ１０１内の部位を示す。
【００４２】
アンテナＡＮＴ１による受信（通常）の場合には、スイッチＳ１−１は、制御信号Ｓｉｇ１０１に基づいて、オン状態になる。スイッチＳ１−２は、制御信号Ｓｉｇ１０１に基づいて、オフ状態になる。スイッチＳ２−１は、制御信号Ｓｉｇ１０２に基づいて、オン状態になる。スイッチＳ２−２及びＳ２−３は、制御信号Ｓｉｇ１０２に基づいて、オフ状態になる。
【００４３】
高周波受信信号ＲＸ１が、アンテナＡＮＴ１から、モジュールＭ１０１の右側の端子Ａ１１を介して、スイッチＳ２−１の他端に入力される。バンドパスフィルタＢＰＦ１１は、スイッチＳ２−１を通過した後の高周波受信信号ＲＸ１を帯域通過させる。バンドパスフィルタＢＰＦ１１を通過した後の高周波受信信号ＲＸ１は、スイッチＳ１−１の他端に入力される。ローノイズアンプＬＮＡ１１は、スイッチＳ１−１を通過した後の高周波受信信号ＲＸ１を増幅して、モジュールＭ１０１の左側の端子Ｒ１１を介して出力する。
【００４４】
（Ｒ−２）アンテナＡＮＴ２による受信（通常）の場合について、説明する。表１２０内の第４行１２４が、アンテナＡＮＴ２による受信（通常）の場合に、高周波受信信号ＲＸ２が通過する、モジュールＭ１０１及びＭ１０２内の部位を示す。
【００４５】
アンテナＡＮＴ２による受信（通常）の場合には、スイッチＳ１−１及びＳ１−２は、制御信号Ｓｉｇ１０１に基づいて、オフ状態になる。スイッチＳ２−１及びＳ２−２は、制御信号Ｓｉｇ１０２に基づいて、オフ状態になる。スイッチＳ２−３は、制御信号Ｓｉｇ１０２に基づいて、オン状態になる。スイッチＳ３−１は、制御信号Ｓｉｇ１０３に基づいて、オフ状態になる。スイッチＳ３−２は、制御信号Ｓｉｇ１０３に基づいて、オン状態になる。スイッチＳ４−１は、制御信号Ｓｉｇ１０４に基づいて、オフ状態になる。スイッチＳ４−２は、制御信号Ｓｉｇ１０４に基づいて、オン状態になる。
【００４６】
高周波受信信号ＲＸ２が、アンテナＡＮＴ２から、モジュールＭ１０２の右側の端子Ａ２１を介して、スイッチＳ４−２の他端に入力される。バンドパスフィルタＢＰＦ２１は、スイッチＳ４−２を通過した後の高周波受信信号ＲＸ２を帯域通過させる。バンドパスフィルタＢＰＦ２１を通過した後の高周波受信信号ＲＸ２は、ローノイズアンプＬＮＡ２１の入力端子に入力される。ローノイズアンプＬＮＡ２１は、高周波受信信号ＲＸ２を増幅して、スイッチＳ３−２の他端に出力する。スイッチＳ３−２を通過した後の高周波受信信号ＲＸ２は、モジュールＭ１０２の左側の端子Ｒ２１及びモジュールＭ１０１の右側の端子Ｅ１１を介して、スイッチＳ２−３の他端に入力される。スイッチＳ２−３を通過した後の高周波受信信号ＲＸ２は、モジュールＭ１０１の左側の端子Ｅ１２を介して出力される。
【００４７】
図１中の矢印１１２が、高周波受信信号ＲＸ２が通過する、伝送経路を示す。矢印１１２で示すように、高周波受信信号ＲＸ２は、アンテナＡＮＴ２→端子Ａ２１→スイッチＳ４−２→バンドパスフィルタＢＰＦ２１→ローノイズアンプＬＮＡ２１→スイッチＳ３−２→端子Ｒ２１→端子Ｅ１１→スイッチＳ２−３→端子Ｅ１２の経路で、伝送される。
【００４８】
（第１の実施の形態）
図３は、第１の実施の形態の高周波信号送受信装置の回路構成を示す図である。高周波信号送受信装置１は、モジュールＭ１及びＭ２を含む。
【００４９】
高周波信号送受信装置１の構成要素のうち、比較例の高周波信号送受信装置１００と同一の構成要素については、同一の参照符号を付して、説明を省略する。
【００５０】
モジュールＭ１は、アンテナＡＮＴ１に電気的に接続されている。モジュールＭ２は、アンテナＡＮＴ２に電気的に接続されている。
【００５１】
アンテナＡＮＴ１が、本開示の「第１アンテナ」に対応する。アンテナＡＮＴ２が、本開示の「第２アンテナ」に対応する。
【００５２】
モジュールＭ１及びＭ２の各々が、本開示の「高周波信号送受信回路」に対応する。
【００５３】
高周波信号送受信装置１は、通常の通信の場合に、アンテナＡＮＴ１から電波を送信し、アンテナＡＮＴ１及びＡＮＴ２で電波を受信する、１Ｔ２Ｒに対応する。なお、高周波信号送受信装置１を２個設けることで、２Ｔ４Ｒに対応可能である。
【００５４】
本開示において、通常の通信は、ユーザデータや音声などの通信であり、ＳＲＳ以外の通信を表すものとする。
【００５５】
高周波信号送受信装置１は、ＳＲＳの通信の場合に、アンテナＡＮＴ１から電波を送信する。また、高周波信号送受信装置１は、ＳＲＳの通信の場合に、アンテナＡＮＴ２から電波を送信する。
【００５６】
モジュールＭ１は、スイッチ群Ｓ１０１（図１参照）に代えて、スイッチ群Ｓ１を含む。スイッチ群Ｓ１は、スイッチ群Ｓ１０１と比較して、スイッチＳ１−３及びＳ１−４を更に含む。
【００５７】
スイッチＳ１−３の一端は、パワーアンプＰＡ１１の出力端子に電気的に接続されている。スイッチＳ１−３の他端は、端子Ｅ１１に電気的に接続されている。
【００５８】
スイッチＳ１−４の一端は、端子Ｅ１２に電気的に接続されている。スイッチＳ１−４の他端は、端子Ｅ１１に電気的に接続されている。
【００５９】
スイッチ群Ｓ１内の各スイッチは、制御ＩＣ３から入力される制御信号Ｓｉｇ１に基づいて、オン状態又はオフ状態になる。
【００６０】
バンドパスフィルタＢＰＦ１１の他端は、端子Ａ１１に電気的に接続されている。つまり、モジュールＭ１は、モジュールＭ１０１（図１参照）と比較して、スイッチ群Ｓ１０２を含んでいない。
【００６１】
モジュールＭ１では、端子Ｒ１１が、本開示の「第１端子」に対応する。端子Ｔ１１が、本開示の「第２端子」に対応する。端子Ｅ１２が、本開示の「第３端子」に対応する。端子Ａ１１が、本開示の「第４端子」に対応する。端子Ｅ１１が、本開示の「第５端子」に対応する。スイッチＳ１−１が、本開示の「第１スイッチ」に対応する。スイッチＳ１−２が、本開示の「第２スイッチ」に対応する。スイッチＳ１−３が、本開示の「第３スイッチ」に対応する。スイッチＳ１−４が、本開示の「第４スイッチ」に対応する。
【００６２】
モジュールＭ２では、スイッチＳ４−１の他端は、バンドパスフィルタＢＰＦ２１の一端に電気的に接続されている。
【００６３】
スイッチＳ４−２の一端は、ローノイズアンプＬＮＡ２１の入力端子に電気的に接続されている。スイッチＳ４−２の他端は、バンドパスフィルタＢＰＦ２１の一端に電気的に接続されている。
【００６４】
バンドパスフィルタＢＰＦ２１の他端は、端子Ａ２１に電気的に接続されている。
【００６５】
スイッチ群Ｓ３内の各スイッチは、制御ＩＣ４から入力される制御信号Ｓｉｇ３に基づいて、オン状態又はオフ状態になる。スイッチ群Ｓ４内の各スイッチは、制御ＩＣ４から入力される制御信号Ｓｉｇ４に基づいて、オン状態又はオフ状態になる。
【００６６】
モジュールＭ２では、端子Ｒ２１が、本開示の「第１端子」に対応する。端子Ａ２１が、本開示の「第２端子」に対応する。スイッチＳ３−１が、本開示の「第１スイッチ」に対応する。スイッチＳ３−２が、本開示の「第２スイッチ」に対応する。スイッチＳ４−１が、本開示の「第３スイッチ」に対応する。スイッチＳ４−２が、本開示の「第４スイッチ」に対応する。
【００６７】
バンドパスフィルタＢＰＦ２１の通過帯域は、バンドパスフィルタＢＰＦ１１の通過帯域と同じとするが、本開示はこれに限定されない。
【００６８】
バンドパスフィルタＢＰＦ１１は、１つ又は複数のインダクタと、１つ又は複数のコンデンサと、で構成されることが例示されるが、本開示はこれに限定されない。バンドパスフィルタはＳＡＷやＢＡＷや誘電体や分布定数で構成されていてもよい。バンドパスフィルタＢＰＦ１１は、１つの基板に形成されていても良いが、本開示はこれに限定されない。ローノイズアンプＬＮＡ１１は、１つの半導体チップ（ダイ）上に形成され、バンドパスフィルタＢＰＦ１１が形成されている基板上に実装されても良いが、本開示はこれに限定されない。パワーアンプＰＡ１１は、他の１つの半導体チップ上に形成され、バンドパスフィルタＢＰＦ１１が形成されている基板上に実装されても良いが、本開示はこれに限定されない。スイッチ群Ｓ１は、他の１つの半導体チップ上に形成され、バンドパスフィルタＢＰＦ１１が形成されている基板上に実装されても良いが、本開示はこれに限定されない。スイッチ群Ｓ１は、ローノイズアンプＬＮＡ１１と同じ半導体チップ上に形成されても良い。制御ＩＣ３は、バンドパスフィルタＢＰＦ１１が形成されている基板上に実装されても良いが、本開示はこれに限定されない。
【００６９】
バンドパスフィルタＢＰＦ２１は、１つ又は複数のインダクタと、１つ又は複数のコンデンサと、で構成されることが例示されるが、本開示はこれに限定されない。バンドパスフィルタＢＰＦ２１は、他の１つの基板に形成されていても良いが、本開示はこれに限定されない。バンドパスフィルタはＳＡＷやＢＡＷや誘電体や分布定数で構成されていてもよい。ローノイズアンプＬＮＡ２１は、１つの半導体チップ上に形成され、バンドパスフィルタＢＰＦ２１が形成されている基板上に実装されても良いが、本開示はこれに限定されない。スイッチ群Ｓ３は、他の１つの半導体チップ上に形成され、バンドパスフィルタＢＰＦ２１が形成されている基板上に実装されても良いが、本開示はこれに限定されない。スイッチ群Ｓ３は、ローノイズアンプＬＮＡ２１と同じ半導体チップ上に形成されても良い。スイッチ群Ｓ４は、他の１つの半導体チップ上に形成され、バンドパスフィルタＢＰＦ２１が形成されている基板上に実装されても良いが、本開示はこれに限定されない。スイッチ群Ｓ４は、ローノイズアンプＬＮＡ２１と同じ半導体チップ上に形成されても良い。制御ＩＣ４は、バンドパスフィルタＢＰＦ２１が形成されている基板上に実装されても良いが、本開示はこれに限定されない。
【００７０】
図４は、第１の実施の形態の高周波信号送受信装置の動作を説明する図である。詳しくは、図４は、（Ｔ）送信の場合、及び、（Ｒ）受信の場合に、高周波信号が通過する、モジュールＭ１及びＭ２内の部位を表す表２０を示す図である。
【００７１】
（Ｔ）送信の場合は、
（Ｔ−１−１）アンテナＡＮＴ１による送信（通常）の場合、
（Ｔ−１−２）アンテナＡＮＴ１による送信（ＳＲＳ）の場合、
（Ｔ−２）アンテナＡＮＴ２による送信（ＳＲＳ）の場合、
を含む。
（Ｒ）受信の場合は、
（Ｒ−１）アンテナＡＮＴ１による受信（通常）の場合、
（Ｒ−２）アンテナＡＮＴ２による受信（通常）の場合、
を含む。
【００７２】
（Ｔ−１−１）アンテナＡＮＴ１による送信（通常）の場合について、説明する。表２０内の第２行２２が、アンテナＡＮＴ１による送信（通常）の場合に、高周波送信信号ＴＸが通過する、モジュールＭ１内の部位を示す。
【００７３】
アンテナＡＮＴ１による送信（通常）の場合には、スイッチＳ１−１、Ｓ１−３及びＳ１−４は、制御信号Ｓｉｇ１に基づいて、オフ状態になる。スイッチＳ１−２は、制御信号Ｓｉｇ１に基づいて、オン状態になる。
【００７４】
高周波送信信号ＴＸが、モジュールＭ１の左側の端子Ｔ１１に入力される。パワーアンプＰＡ１１は、高周波送信信号ＴＸを増幅して、スイッチＳ１−２の一端に出力する。スイッチＳ１−２を通過した後の高周波送信信号ＴＸは、バンドパスフィルタＢＰＦ１１に入力される。バンドパスフィルタＢＰＦ１１は、高周波送信信号ＴＸを帯域通過させる。バンドパスフィルタＢＰＦ１１を通過した後の高周波送信信号ＴＸは、モジュールＭ１の右側の端子Ａ１１を介して、アンテナＡＮＴ１に出力される。
【００７５】
（Ｔ−１−２）アンテナＡＮＴ１による送信（ＳＲＳ）の場合は、（Ｔ−１−１）アンテナＡＮＴ１による送信（通常）の送信の場合と同様であるので、説明を省略する。表２０内の第３行２３が、アンテナＡＮＴ１でのＳＲＳの送信の場合に、ＳＲＳ送信信号ＳＲＳＴが通過する、モジュールＭ１内の部位を示す。
【００７６】
（Ｔ−２）アンテナＡＮＴ２による送信（ＳＲＳ）の場合について、説明する。表２０内の第５行２５が、アンテナＡＮＴ２による送信（ＳＲＳ）の場合に、ＳＲＳ送信信号ＳＲＳＴが通過する、モジュールＭ１及びＭ２内の部位を示す。
【００７７】
アンテナＡＮＴ２による送信（ＳＲＳ）の場合には、スイッチＳ１−１、Ｓ１−２及びＳ１−４は、制御信号Ｓｉｇ１に基づいて、オフ状態になる。スイッチＳ１−３は、制御信号Ｓｉｇ１に基づいて、オン状態になる。スイッチＳ３−１は、制御信号Ｓｉｇ３に基づいて、オン状態になる。スイッチＳ３−２は、制御信号Ｓｉｇ３に基づいて、オフ状態になる。スイッチＳ４−１は、制御信号Ｓｉｇ４に基づいて、オン状態になる。スイッチＳ４−２は、制御信号Ｓｉｇ４に基づいて、オフ状態になる。
【００７８】
ＳＲＳ送信信号ＳＲＳＴが、モジュールＭ１の左側の端子Ｔ１１に入力される。パワーアンプＰＡ１１は、ＳＲＳ送信信号ＳＲＳＴを増幅して、スイッチＳ１−３の一端に出力する。スイッチＳ１−３を通過した後のＳＲＳ送信信号ＳＲＳＴは、モジュールＭ１の右側の端子Ｅ１１及びモジュールＭ２の左側の端子Ｒ２１を介して、スイッチＳ３−１の一端に入力される。スイッチＳ３−１を通過した後のＳＲＳ送信信号ＳＲＳＴは、スイッチＳ４−１の一端に入力される。スイッチＳ４−１を通過した後のＳＲＳ送信信号ＳＲＳＴは、バンドパスフィルタＢＰＦ２１の一端に入力される。バンドパスフィルタＢＰＦ２１は、ＳＲＳ送信信号ＳＲＳＴを帯域通過させる。バンドパスフィルタＢＰＦ２１を通過した後のＳＲＳ送信信号ＳＲＳＴは、モジュールＭ２の右側の端子Ａ２１を介して、アンテナＡＮＴ２に出力される。
【００７９】
図３中の矢印１１が、ＳＲＳ送信信号ＳＲＳＴが通過する、伝送経路を示す。矢印１１で示すように、ＳＲＳ送信信号ＳＲＳＴは、端子Ｔ１１→パワーアンプＰＡ１１→スイッチＳ１−３→端子Ｅ１１→端子Ｒ２１→スイッチＳ３−１→スイッチＳ４−１→バンドパスフィルタＢＰＦ２１→端子Ａ２１→アンテナＡＮＴ２の経路で、伝送される。
【００８０】
（Ｒ−１）アンテナＡＮＴ１による受信（通常）の場合について、説明する。表２０内の第１行２１が、アンテナＡＮＴ１による受信（通常）の場合に、高周波受信信号ＲＸ１が通過する、モジュールＭ１内の部位を示す。
【００８１】
アンテナＡＮＴ１による受信（通常）の場合には、スイッチＳ１−１は、制御信号Ｓｉｇ１に基づいて、オン状態になる。スイッチＳ１−２、Ｓ１−３及びＳ１−４は、制御信号Ｓｉｇ１に基づいて、オフ状態になる。
【００８２】
高周波受信信号ＲＸ１が、アンテナＡＮＴ１から、モジュールＭ１の右側の端子Ａ１１を介して、バンドパスフィルタＢＰＦ１１の他端に入力される。バンドパスフィルタＢＰＦ１１は、高周波受信信号ＲＸ１を帯域通過させる。バンドパスフィルタＢＰＦ１１を通過した後の高周波受信信号ＲＸ１は、スイッチＳ１−１の他端に入力される。ローノイズアンプＬＮＡ１１は、スイッチＳ１−１を通過した後の高周波受信信号ＲＸ１を増幅して、モジュールＭ１の左側の端子Ｒ１１を介して出力する。
【００８３】
（Ｒ−２）アンテナＡＮＴ２による受信（通常）の場合について、説明する。表２０内の第４行２４が、アンテナＡＮＴ２による受信（通常）の場合に、高周波受信信号ＲＸ２が通過する、モジュールＭ１及びＭ２内の部位を示す。
【００８４】
アンテナＡＮＴ２による受信（通常）の場合には、スイッチＳ１−１、Ｓ１−２及びＳ１−３は、制御信号Ｓｉｇ１に基づいて、オフ状態になる。スイッチＳ１−４は、制御信号Ｓｉｇ１に基づいて、オン状態になる。スイッチＳ３−１は、制御信号Ｓｉｇ３に基づいて、オフ状態になる。スイッチＳ３−２は、制御信号Ｓｉｇ３に基づいて、オン状態になる。スイッチＳ４−１は、制御信号Ｓｉｇ４に基づいて、オフ状態になる。スイッチＳ４−２は、制御信号Ｓｉｇ４に基づいて、オン状態になる。
【００８５】
高周波受信信号ＲＸ２が、アンテナＡＮＴ２から、モジュールＭ２の右側の端子Ａ２１を介して、バンドパスフィルタＢＰＦ２１の他端に入力される。バンドパスフィルタＢＰＦ２１は、高周波受信信号ＲＸ２を帯域通過させる。バンドパスフィルタＢＰＦ２１を通過した後の高周波受信信号ＲＸ２は、スイッチＳ４−２の他端に入力される。スイッチＳ４−２を通過した後の高周波受信信号ＲＸ２は、ローノイズアンプＬＮＡ２１の入力端子に入力される。ローノイズアンプＬＮＡ２１は、高周波受信信号ＲＸ２を増幅して、スイッチＳ３−２の他端に出力する。スイッチＳ３−２を通過した後の高周波受信信号ＲＸ２は、モジュールＭ２の左側の端子Ｒ２１及びモジュールＭ１の右側の端子Ｅ１１を介して、スイッチＳ１−４の他端に入力される。スイッチＳ１−４を通過した後の高周波受信信号ＲＸ２は、モジュールＭ１の左側の端子Ｅ１２を介して出力される。
【００８６】
図３中の矢印１２が、高周波受信信号ＲＸ２が通過する、伝送経路を示す。矢印１２で示すように、高周波受信信号ＲＸ２は、アンテナＡＮＴ２→端子Ａ２１→バンドパスフィルタＢＰＦ２１→スイッチＳ４−２→ローノイズアンプＬＮＡ２１→スイッチＳ３−２→端子Ｒ２１→端子Ｅ１１→スイッチＳ１−４→端子Ｅ１２の経路で、伝送される。
【００８７】
（比較例と第１の実施の形態との比較）
図５は、比較例と第１の実施の形態との比較を示す図である。詳しくは、図５は、ＳＲＳ送信信号ＳＲＳＴ及び高周波受信信号ＲＸ２が通過するスイッチ数、ＳＲＳ送信信号ＳＲＳＴ及び高周波受信信号ＲＸ２が通過するバンドパスフィルタ、及び、バンドパスフィルタＢＰＦ１１と端子Ａ１１との間のスイッチの要否を表す表７０を示す図である。
【００８８】
表７０の第１行７１は、（Ｔ−２）アンテナＡＮＴ２による送信（ＳＲＳ）の場合、及び、（Ｒ−２）アンテナＡＮＴ２による受信（通常）の場合に、ＳＲＳ送信信号ＳＲＳＴ及び高周波受信信号ＲＸ２が通過するスイッチ数を表す。
【００８９】
図１の矢印１１１で示したように、比較例の高周波信号送受信装置１００では、（Ｔ−２）アンテナＡＮＴ２による送信（ＳＲＳ）の場合に、ＳＲＳ送信信号ＳＲＳＴは、スイッチＳ１−２、Ｓ２−２、Ｓ３−１及びＳ４−１の計４個のスイッチを通過する。
【００９０】
また、図１の矢印１１２で示したように、比較例の高周波信号送受信装置１００では、（Ｒ−２）アンテナＡＮＴ２による受信（通常）の場合に、高周波受信信号ＲＸ２は、スイッチＳ４−２、Ｓ３−２及びＳ２−３の計３個のスイッチを通過する。
【００９１】
このように、比較例の高周波信号送受信装置１００では、ＳＲＳ送信信号ＳＲＳＴが通過するスイッチ数と、高周波受信信号ＲＸ２が通過するスイッチ数と、が異なる。つまり、比較例の高周波信号送受信装置１００では、ＳＲＳ送信信号ＳＲＳＴが通過する伝送経路と、高周波受信信号ＲＸ２が通過する伝送経路とで、スイッチによる経路損失（電気的特性）の差が大きい。
【００９２】
一方、図３の矢印１１で示したように、第１の実施の形態の高周波信号送受信装置１では、（Ｔ−２）アンテナＡＮＴ２による送信（ＳＲＳ）の場合に、ＳＲＳ送信信号ＳＲＳＴは、スイッチＳ１−３、Ｓ３−１及びＳ４−１の計３個のスイッチを通過する。
【００９３】
また、図３の矢印１２で示したように、第１の実施の形態の高周波信号送受信装置１では、（Ｒ−２）アンテナＡＮＴ２による受信（通常）の場合に、高周波受信信号ＲＸ２は、スイッチＳ４−２、Ｓ３−２及びＳ１−４の計３個のスイッチを通過する。
【００９４】
このように、第１の実施の形態の高周波信号送受信装置１では、ＳＲＳ送信信号ＳＲＳＴが通過するスイッチ数と、高周波受信信号ＲＸ２が通過するスイッチ数と、が同じである。つまり、第１の実施の形態の高周波信号送受信装置１では、ＳＲＳ送信信号ＳＲＳＴが通過する伝送経路と、高周波受信信号ＲＸ２が通過する伝送経路とで、スイッチによる経路損失の差が小さい。
【００９５】
表７０の第２行７２は、（Ｔ−２）アンテナＡＮＴ２による送信（ＳＲＳ）の場合、及び、（Ｒ−２）アンテナＡＮＴ２による受信（通常）の場合に、ＳＲＳ送信信号ＳＲＳＴ及び高周波受信信号ＲＸ２が通過するバンドパスフィルタを表す。
【００９６】
図１の矢印１１１で示したように、比較例の高周波信号送受信装置１００では、（Ｔ−２）アンテナＡＮＴ２による送信（ＳＲＳ）の場合に、ＳＲＳ送信信号ＳＲＳＴは、バンドパスフィルタＢＰＦ１１を通過する。
【００９７】
また、図１の矢印１１２で示したように、比較例の高周波信号送受信装置１００では、（Ｒ−２）アンテナＡＮＴ２による受信（通常）の場合に、高周波受信信号ＲＸ２は、バンドパスフィルタＢＰＦ２１を通過する。
【００９８】
このように、比較例の高周波信号送受信装置１００では、ＳＲＳ送信信号ＳＲＳＴが通過するバンドパスフィルタＢＰＦ１１と、高周波受信信号ＲＸ２が通過するバンドパスフィルタＢＰＦ２１と、が異なる物である。バンドパスフィルタＢＰＦ１１と、バンドパスフィルタＢＰＦ２１との間には、個体差があり得る。つまり、比較例の高周波信号送受信装置１００では、ＳＲＳ送信信号ＳＲＳＴが通過する伝送経路と、高周波受信信号ＲＸ２が通過する伝送経路とで、バンドパスフィルタによる経路損失の差が大きい。
【００９９】
一方、図３の矢印１１で示したように、第１の実施の形態の高周波信号送受信装置１では、（Ｔ−２）アンテナＡＮＴ２による送信（ＳＲＳ）の場合に、ＳＲＳ送信信号ＳＲＳＴは、バンドパスフィルタＢＰＦ２１を通過する。
【０１００】
また、図３の矢印１２で示したように、第１の実施の形態の高周波信号送受信装置１では、（Ｒ−２）アンテナＡＮＴ２による受信（通常）の場合に、高周波受信信号ＲＸ２は、バンドパスフィルタＢＰＦ２１を通過する。
【０１０１】
このように、第１の実施の形態の高周波信号送受信装置１では、ＳＲＳ送信信号ＳＲＳＴが通過するバンドパスフィルタＢＰＦ２１と、高周波受信信号ＲＸ２が通過するバンドパスフィルタＢＰＦ２１と、が同じ物である。つまり、第１の実施の形態の高周波信号送受信装置１では、ＳＲＳ送信信号ＳＲＳＴが通過する伝送経路と、高周波受信信号ＲＸ２が通過する伝送経路とで、バンドパスフィルタによる経路損失が同じである。
【０１０２】
以上説明したように、第１の実施の形態の高周波信号送受信装置１では、比較例の高周波信号送受信装置１００と比較して、アンテナＡＮＴ２での通信の場合に、ＳＲＳ送信信号ＳＲＳＴが通過する伝送経路と、高周波受信信号ＲＸ２が通過する伝送経路とで、経路損失の差が小さい。これにより、高周波信号送受信装置１は、比較例の高周波信号送受信装置１００と比較して、アンテナＡＮＴ２でのＳＲＳを高い精度で行うことが可能になる。従って、高周波信号送受信装置１は、移動体通信装置の通信品質を向上させることが可能である。
【０１０３】
また、表７０の第３行７３は、（Ｔ−１−２）アンテナＡＮＴ１による送信（ＳＲＳ）の場合、及び、（Ｒ−１）アンテナＡＮＴ１による受信（通常）の場合に、バンドパスフィルタＢＰＦ１１と端子Ａ１１との間のスイッチの要否を表す。
【０１０４】
図１で示したように、比較例の高周波信号送受信装置１００では、（Ｔ−１−２）アンテナＡＮＴ１による送信（ＳＲＳ）の場合、及び、（Ｒ−１）アンテナＡＮＴ１による受信（ＳＲＳ）の場合に、バンドパスフィルタＢＰＦ１１とアンテナＡＮＴ１との間に、スイッチＳ２−１を必要とする。
【０１０５】
一方、図３で示したように、第１の実施の形態の高周波信号送受信装置１では、（Ｔ−１−２）アンテナＡＮＴ１による送信（ＳＲＳ）の場合、及び、（Ｒ−１）アンテナＡＮＴ１による受信（通常）の場合に、バンドパスフィルタＢＰＦ１１とアンテナＡＮＴ１との間に、スイッチＳ２−１を不要とする。
【０１０６】
これにより、第１の実施の形態の高周波信号送受信装置１は、バンドパスフィルタＢＰＦ１１と端子Ａ１１との間の経路損失を抑制できる。従って、高周波信号送受信装置１は、移動体通信装置の送信時の消費電力を抑制することが可能であり、また、通信品質を向上させることが可能である。また、第１の実施の形態の高周波信号送受信装置１は、スイッチ群Ｓ１０２が不要であるので、部品点数を削減でき、基板サイズを小さくでき、ひいてはコストダウンを図ることができる。
【０１０７】
＜第２の実施の形態＞
図６は、第２の実施の形態の高周波信号送受信装置の回路構成を示す図である。高周波信号送受信装置３１は、モジュールＭ２、Ｍ３、Ｍ４及びＭ５を含む。
【０１０８】
高周波信号送受信装置３１の構成要素のうち、比較例又は他の実施の形態と同一の構成要素については、同一の参照符号を付して、説明を省略する。
【０１０９】
モジュールＭ３は、アンテナＡＮＴ１に電気的に接続されている。モジュールＭ２は、アンテナＡＮＴ２に電気的に接続されている。モジュールＭ５は、アンテナＡＮＴ３に電気的に接続されている。モジュールＭ４は、アンテナＡＮＴ４に電気的に接続されている。
【０１１０】
アンテナＡＮＴ３が、本開示の「第３アンテナ」に対応する。アンテナＡＮＴ４が、本開示の「第４アンテナ」に対応する。
【０１１１】
モジュールＭ３、Ｍ４及びＭ５の各々が、本開示の「高周波信号送受信回路」に対応する。
【０１１２】
高周波信号送受信装置３１は、通常の通信の場合に、アンテナＡＮＴ１から電波を送信し、アンテナＡＮＴ１、ＡＮＴ２、ＡＮＴ３及びＡＮＴ４で電波を受信する、１Ｔ４Ｒに対応する。
【０１１３】
高周波信号送受信装置３１は、ＳＲＳの通信の場合に、アンテナＡＮＴ１から電波を送信する。また、高周波信号送受信装置３１は、ＳＲＳの通信の場合に、アンテナＡＮＴ２から電波を送信する。また、高周波信号送受信装置３１は、ＳＲＳの通信の場合に、アンテナＡＮＴ３から電波を送信する。また、高周波信号送受信装置３１は、ＳＲＳの通信の場合に、アンテナＡＮＴ４から電波を送信する。
【０１１４】
モジュールＭ３は、モジュールＭ１（図３参照）と比較して、端子Ｅ１３及びＥ１４を、更に含む。
【０１１５】
モジュールＭ３では、端子Ｅ１４が、本開示の「第６端子」に対応する。端子Ｅ１３が、本開示の「第７端子」に対応する。
【０１１６】
モジュールＭ３は、モジュールＭ１（図３参照）と比較して、スイッチ群Ｓ１に代えて、スイッチ群Ｓ１Ａを含む。スイッチ群Ｓ１Ａは、スイッチ群Ｓ１と比較して、スイッチＳ１−５からＳ１−８までを更に含む。
【０１１７】
スイッチＳ１−５の一端は、端子Ｅ１４に電気的に接続されている。スイッチＳ１−５の他端は、端子Ｅ１１に電気的に接続されている。
【０１１８】
スイッチＳ１−６の一端は、端子Ｅ１４に電気的に接続されている。スイッチＳ１−６の他端は、バンドパスフィルタＢＰＦ１１の一端に電気的に接続されている。
【０１１９】
スイッチＳ１−７の一端は、端子Ｅ１４に電気的に接続されている。スイッチＳ１−７の他端は、端子Ｅ１３に電気的に接続されている。
【０１２０】
スイッチＳ１−８の一端は、パワーアンプＰＡ１１の出力端子に電気的に接続されている。スイッチＳ１−８の他端は、端子Ｅ１３に電気的に接続されている。
【０１２１】
モジュールＭ３では、スイッチＳ１−５が、本開示の「第５スイッチ」に対応する。スイッチＳ１−６が、本開示の「第６スイッチ」に対応する。スイッチＳ１−８が、本開示の「第７スイッチ」に対応する。
【０１２２】
スイッチ群Ｓ１Ａ内の各スイッチは、制御ＩＣ３３から入力される制御信号Ｓｉｇ３１に基づいて、オン状態又はオフ状態になる。
【０１２３】
モジュールＭ５の回路構成は、モジュールＭ３の回路構成と同じである。モジュールＭ５の端子Ｅ１４は、モジュールＭ３の端子Ｅ１３に電気的に接続されている。モジュールＭ５の端子Ａ１１は、アンテナＡＮＴ３に電気的に接続されている。
【０１２４】
モジュールＭ４の回路構成は、モジュールＭ２の回路構成と同じである。モジュールＭ４の端子Ｒ２１は、モジュールＭ５の端子Ｅ１１に電気的に接続されている。モジュールＭ４の端子Ａ２１は、アンテナＡＮＴ４に電気的に接続されている。
【０１２５】
図７は、第２の実施の形態の高周波信号送受信装置の動作を説明する図である。詳しくは、図７は、（Ｔ）送信の場合、及び、（Ｒ）受信の場合に、高周波信号が通過する、モジュールＭ２、Ｍ３、Ｍ４及びＭ５内の部位を表す表４０を示す図である。
【０１２６】
（Ｔ）送信の場合は、
（Ｔ−１−１）アンテナＡＮＴ１による送信（通常）の場合、
（Ｔ−１−２）アンテナＡＮＴ１による送信（ＳＲＳ）の場合、
（Ｔ−２）アンテナＡＮＴ２による送信（ＳＲＳ）の場合、
（Ｔ−３）アンテナＡＮＴ３による送信（ＳＲＳ）の場合、
（Ｔ−４）アンテナＡＮＴ４による送信（ＳＲＳ）の場合、
を含む。
（Ｒ）受信の場合は、
（Ｒ−１）アンテナＡＮＴ１による受信（通常）の場合、
（Ｒ−２）アンテナＡＮＴ２による受信（通常）の場合、
（Ｒ−３）アンテナＡＮＴ３による受信（通常）の場合、
（Ｒ−４）アンテナＡＮＴ４による受信（通常）の場合、
を含む。
【０１２７】
（Ｔ−１−１）アンテナＡＮＴ１による送信（通常）の場合について、説明する。表４０内の第２行４２が、アンテナＡＮＴ１による送信（通常）の場合に、高周波送信信号ＴＸが通過する、モジュールＭ３内の部位を示す。
【０１２８】
アンテナＡＮＴ１による送信（通常）の場合には、モジュールＭ３内のスイッチＳ１−１及びＳ１−３からＳ１−８までは、制御信号Ｓｉｇ３１に基づいて、オフ状態になる。スイッチＳ１−２は、制御信号Ｓｉｇ３１に基づいて、オン状態になる。
【０１２９】
高周波送信信号ＴＸが、モジュールＭ３の左側の端子Ｔ１１に入力される。パワーアンプＰＡ１１は、高周波送信信号ＴＸを増幅して、スイッチＳ１−２の一端に出力する。スイッチＳ１−２を通過した後の高周波送信信号ＴＸは、バンドパスフィルタＢＰＦ１１に入力される。バンドパスフィルタＢＰＦ１１は、高周波送信信号ＴＸを帯域通過させる。バンドパスフィルタＢＰＦ１１を通過した後の高周波送信信号ＴＸは、モジュールＭ３の右側の端子Ａ１１を介して、アンテナＡＮＴ１に出力される。
【０１３０】
（Ｔ−１−２）アンテナＡＮＴ１による送信（ＳＲＳ）の場合は、（Ｔ−１−１）アンテナＡＮＴ１による送信（通常）の送信の場合と同様であるので、説明を省略する。表４０内の第３行４３が、アンテナＡＮＴ１による送信（ＳＲＳ）の場合に、ＳＲＳ送信信号ＳＲＳＴが通過する、モジュールＭ３内の部位を示す。
【０１３１】
（Ｔ−２）アンテナＡＮＴ２による送信（ＳＲＳ）の場合について、説明する。表４０内の第５行４５が、アンテナＡＮＴ２による送信（ＳＲＳ）の場合に、ＳＲＳ送信信号ＳＲＳＴが通過する、モジュールＭ２及びＭ３内の部位を示す。
【０１３２】
アンテナＡＮＴ２による送信（ＳＲＳ）の場合には、モジュールＭ３内のスイッチＳ１−１、Ｓ１−２及びＳ１−４からＳ１−８までは、制御信号Ｓｉｇ３１に基づいて、オフ状態になる。スイッチＳ１−３は、制御信号Ｓｉｇ３１に基づいて、オン状態になる。モジュールＭ２内のスイッチＳ３−１は、制御信号Ｓｉｇ３に基づいて、オン状態になる。スイッチＳ３−２は、制御信号Ｓｉｇ３に基づいて、オフ状態になる。スイッチＳ４−１は、制御信号Ｓｉｇ４に基づいて、オン状態になる。スイッチＳ４−２は、制御信号Ｓｉｇ４に基づいて、オフ状態になる。
【０１３３】
ＳＲＳ送信信号ＳＲＳＴが、モジュールＭ３の左側の端子Ｔ１１に入力される。パワーアンプＰＡ１１は、ＳＲＳ送信信号ＳＲＳＴを増幅して、スイッチＳ１−３の一端に出力する。スイッチＳ１−３を通過した後のＳＲＳ送信信号ＳＲＳＴは、モジュールＭ３の右側の端子Ｅ１１及びモジュールＭ２の左側の端子Ｒ２１を介して、スイッチＳ３−１の一端に入力される。スイッチＳ３−１を通過した後のＳＲＳ送信信号ＳＲＳＴは、スイッチＳ４−１の一端に入力される。スイッチＳ４−１を通過した後のＳＲＳ送信信号ＳＲＳＴは、バンドパスフィルタＢＰＦ２１の一端に入力される。バンドパスフィルタＢＰＦ２１は、ＳＲＳ送信信号ＳＲＳＴを帯域通過させる。バンドパスフィルタＢＰＦ２１を通過した後のＳＲＳ送信信号ＳＲＳＴは、モジュールＭ２の右側の端子Ａ２１を介して、アンテナＡＮＴ２に出力される。
【０１３４】
（Ｔ−３）アンテナＡＮＴ３による送信（ＳＲＳ）の場合について、説明する。表４０内の第７行４７が、アンテナＡＮＴ３による送信（ＳＲＳ）の場合に、ＳＲＳ送信信号ＳＲＳＴが通過する、モジュールＭ３及びＭ５内の部位を示す。
【０１３５】
アンテナＡＮＴ３による送信（ＳＲＳ）の場合には、モジュールＭ３内のスイッチＳ１−１からＳ１−７までは、制御信号Ｓｉｇ３１に基づいて、オフ状態になる。モジュールＭ３内のスイッチＳ１−８は、制御信号Ｓｉｇ３１に基づいて、オン状態になる。モジュールＭ５内のスイッチＳ１−１からＳ１−５まで、Ｓ１−７及びＳ１−８は、制御信号Ｓｉｇ３１に基づいて、オフ状態になる。モジュールＭ５内のスイッチＳ１−６は、制御信号Ｓｉｇ３１に基づいて、オン状態になる。
【０１３６】
ＳＲＳ送信信号ＳＲＳＴが、モジュールＭ３の左側の端子Ｔ１１に入力される。パワーアンプＰＡ１１は、ＳＲＳ送信信号ＳＲＳＴを増幅して、スイッチＳ１−８の一端に出力する。スイッチＳ１−８を通過した後のＳＲＳ送信信号ＳＲＳＴは、モジュールＭ３の右側の端子Ｅ１３及びモジュールＭ５の左側の端子Ｅ１４を介して、スイッチＳ１−６の一端に入力される。スイッチＳ１−６を通過した後のＳＲＳ送信信号ＳＲＳＴは、バンドパスフィルタＢＰＦ１１の一端に入力される。バンドパスフィルタＢＰＦ１１は、ＳＲＳ送信信号ＳＲＳＴを帯域通過させる。バンドパスフィルタＢＰＦ１１を通過した後のＳＲＳ送信信号ＳＲＳＴは、モジュールＭ５の右側の端子Ａ１１を介して、アンテナＡＮＴ３に出力される。
【０１３７】
（Ｔ−４）アンテナＡＮＴ４による送信（ＳＲＳ）の場合について、説明する。表４０内の第９行４９が、アンテナＡＮＴ４による送信（ＳＲＳ）の場合に、ＳＲＳ送信信号ＳＲＳＴが通過する、モジュールＭ３、Ｍ４及びＭ５内の部位を示す。
【０１３８】
アンテナＡＮＴ４による送信（ＳＲＳ）の場合には、モジュールＭ３内のスイッチＳ１−１からＳ１−７までは、制御信号Ｓｉｇ３１に基づいて、オフ状態になる。モジュールＭ３内のスイッチＳ１−８は、制御信号Ｓｉｇ３１に基づいて、オン状態になる。モジュールＭ５内のスイッチＳ１−１からＳ１−４まで及びＳ１−６からＳ１−８までは、制御信号Ｓｉｇ３１に基づいて、オフ状態になる。モジュールＭ５内のスイッチＳ１−５は、制御信号Ｓｉｇ３１に基づいて、オン状態になる。モジュールＭ４内のスイッチＳ３−１は、制御信号Ｓｉｇ３に基づいて、オン状態になる。モジュールＭ４内のスイッチＳ３−２は、制御信号Ｓｉｇ３に基づいて、オフ状態になる。モジュールＭ４内のスイッチＳ４−１は、制御信号Ｓｉｇ４に基づいて、オン状態になる。モジュールＭ４内のスイッチＳ４−２は、制御信号Ｓｉｇ４に基づいて、オフ状態になる。
【０１３９】
ＳＲＳ送信信号ＳＲＳＴが、モジュールＭ３の左側の端子Ｔ１１に入力される。パワーアンプＰＡ１１は、ＳＲＳ送信信号ＳＲＳＴを増幅して、スイッチＳ１−８の一端に出力する。スイッチＳ１−８を通過した後のＳＲＳ送信信号ＳＲＳＴは、モジュールＭ３の右側の端子Ｅ１３及びモジュールＭ５の左側の端子Ｅ１４を介して、モジュールＭ５内のスイッチＳ１−５の一端に入力される。モジュールＭ５内のスイッチＳ１−５を通過した後のＳＲＳ送信信号ＳＲＳＴは、モジュールＭ５の右側の端子Ｅ１１及びモジュールＭ４の左側の端子Ｒ２１を介して、モジュールＭ４内のスイッチＳ３−１の一端に入力される。モジュールＭ４内のスイッチＳ３−１及びＳ４−１を通過した後のＳＲＳ送信信号ＳＲＳＴは、モジュールＭ４内のバンドパスフィルタＢＰＦ２１の一端に入力される。バンドパスフィルタＢＰＦ２１は、ＳＲＳ送信信号ＳＲＳＴを帯域通過させる。バンドパスフィルタＢＰＦ２１を通過した後のＳＲＳ送信信号ＳＲＳＴは、モジュールＭ４の右側の端子Ａ２１を介して、アンテナＡＮＴ４に出力される。
【０１４０】
（Ｒ−１）アンテナＡＮＴ１による受信（通常）の場合について、説明する。表４０内の第１行４１が、アンテナＡＮＴ１による受信（通常）の場合に、高周波受信信号ＲＸ１が通過する、モジュールＭ３内の部位を示す。
【０１４１】
アンテナＡＮＴ１による受信（通常）の場合には、モジュールＭ３内のスイッチＳ１−１は、制御信号Ｓｉｇ３１に基づいて、オン状態になる。スイッチＳ１−２からＳ１−８までは、制御信号Ｓｉｇ３１に基づいて、オフ状態になる。
【０１４２】
高周波受信信号ＲＸ１が、アンテナＡＮＴ１から、モジュールＭ３の右側の端子Ａ１１を介して、バンドパスフィルタＢＰＦ１１の他端に入力される。バンドパスフィルタＢＰＦ１１は、高周波受信信号ＲＸ１を帯域通過させる。バンドパスフィルタＢＰＦ１１を通過した後の高周波受信信号ＲＸ１は、スイッチＳ１−１の他端に入力される。ローノイズアンプＬＮＡ１１は、スイッチＳ１−１を通過した後の高周波受信信号ＲＸ１を増幅して、モジュールＭ３の左側の端子Ｒ１１に出力する。
【０１４３】
（Ｒ−２）アンテナＡＮＴ２による受信（通常）の場合について、説明する。表４０内の第４行４４が、アンテナＡＮＴ２による受信（通常）の場合に、高周波受信信号ＲＸ２が通過する、モジュールＭ２及びＭ３内の部位を示す。
【０１４４】
アンテナＡＮＴ２による受信（通常）の場合には、モジュールＭ３内のスイッチＳ１−１からＳ１−３まで及びＳ１−５からＳ１−８までは、制御信号Ｓｉｇ３１に基づいて、オフ状態になる。スイッチＳ１−４は、制御信号Ｓｉｇ３１に基づいて、オン状態になる。モジュールＭ２内のスイッチＳ３−１は、制御信号Ｓｉｇ３に基づいて、オフ状態になる。スイッチＳ３−２は、制御信号Ｓｉｇ３に基づいて、オン状態になる。スイッチＳ４−１は、制御信号Ｓｉｇ４に基づいて、オフ状態になる。スイッチＳ４−２は、制御信号Ｓｉｇ４に基づいて、オン状態になる。
【０１４５】
高周波受信信号ＲＸ２が、アンテナＡＮＴ２から、モジュールＭ２の右側の端子Ａ２１を介して、バンドパスフィルタＢＰＦ２１の他端に入力される。バンドパスフィルタＢＰＦ２１は、高周波受信信号ＲＸ２を帯域通過させる。バンドパスフィルタＢＰＦ２１を通過した後の高周波受信信号ＲＸ２は、スイッチＳ４−２の他端に入力される。スイッチＳ４−２を通過した後の高周波受信信号ＲＸ２は、ローノイズアンプＬＮＡ２１の入力端子に入力される。ローノイズアンプＬＮＡ２１は、高周波受信信号ＲＸ２を増幅して、スイッチＳ３−２の他端に出力する。スイッチＳ３−２を通過した後の高周波受信信号ＲＸ２は、モジュールＭ２の左側の端子Ｒ２１及びモジュールＭ１の右側の端子Ｅ１１を介して、スイッチＳ１−４の他端に入力される。スイッチＳ１−４を通過した後の高周波受信信号ＲＸ２は、モジュールＭ３の左側の端子Ｅ１２を介して、出力される。
【０１４６】
（Ｒ−３）アンテナＡＮＴ３による受信（通常）の場合について、説明する。表４０内の第６行４６が、アンテナＡＮＴ３による受信（通常）の場合に、高周波受信信号ＲＸ３が通過する、モジュールＭ５内の部位を示す。
【０１４７】
アンテナＡＮＴ３による受信（通常）の場合には、モジュールＭ５内のスイッチＳ１−１は、制御信号Ｓｉｇ３１に基づいて、オン状態になる。スイッチＳ１−２からＳ１−８までは、制御信号Ｓｉｇ３１に基づいて、オフ状態になる。
【０１４８】
高周波受信信号ＲＸ３が、アンテナＡＮＴ３から、モジュールＭ５の右側の端子Ａ１１を介して、バンドパスフィルタＢＰＦ１１の他端に入力される。バンドパスフィルタＢＰＦ１１は、高周波受信信号ＲＸ３を帯域通過させる。バンドパスフィルタＢＰＦ１１を通過した後の高周波受信信号ＲＸ３は、スイッチＳ１−１の他端に入力される。ローノイズアンプＬＮＡ１１は、スイッチＳ１−１を通過した後の高周波受信信号ＲＸ３を増幅して、モジュールＭ５の左側の端子Ｒ１１を介して出力する。
【０１４９】
（Ｒ−４）アンテナＡＮＴ４による受信（通常）の場合について、説明する。表４０内の第８行４８が、アンテナＡＮＴ４による受信（通常）の場合に、高周波受信信号ＲＸ４が通過する、モジュールＭ４及びＭ５内の部位を示す。
【０１５０】
アンテナＡＮＴ４による受信（通常）の場合には、モジュールＭ５内のスイッチＳ１−１からＳ１−３まで及びＳ１−５からＳ１−８までは、制御信号Ｓｉｇ３１に基づいて、オフ状態になる。スイッチＳ１−４は、制御信号Ｓｉｇ３１に基づいて、オン状態になる。モジュールＭ４内のスイッチＳ３−１は、制御信号Ｓｉｇ３に基づいて、オフ状態になる。スイッチＳ３−２は、制御信号Ｓｉｇ３に基づいて、オン状態になる。スイッチＳ４−１は、制御信号Ｓｉｇ４に基づいて、オフ状態になる。スイッチＳ４−２は、制御信号Ｓｉｇ４に基づいて、オン状態になる。
【０１５１】
高周波受信信号ＲＸ４が、アンテナＡＮＴ４から、モジュールＭ４の右側の端子Ａ２１を介して、モジュールＭ４内のバンドパスフィルタＢＰＦ２１の他端に入力される。バンドパスフィルタＢＰＦ２１は、高周波受信信号ＲＸ４を帯域通過させる。バンドパスフィルタＢＰＦ２１を通過した後の高周波受信信号ＲＸ４は、モジュールＭ４内のスイッチＳ４−２の他端に入力される。スイッチＳ４−２を通過した後の高周波受信信号ＲＸ４は、モジュールＭ４内のローノイズアンプＬＮＡ２１の入力端子に入力される。ローノイズアンプＬＮＡ２１は、高周波受信信号ＲＸ４を増幅して、モジュールＭ４内のスイッチＳ３−２の他端に出力する。スイッチＳ３−２を通過した後の高周波受信信号ＲＸ４は、モジュールＭ４の左側の端子Ｒ２１及びモジュールＭ５の右側の端子Ｅ１１を介して、モジュールＭ５内のスイッチＳ１−４の他端に入力される。スイッチＳ１−４を通過した後の高周波受信信号ＲＸ４は、モジュールＭ５の左側の端子Ｅ１２を介して、出力される。
【０１５２】
以上説明したように、高周波信号送受信装置３１では、（Ｔ−２）アンテナＡＮＴ２による送信（ＳＲＳ）の場合に、ＳＲＳ送信信号ＳＲＳＴは、モジュールＭ３内のスイッチＳ１−３、モジュールＭ２内のスイッチＳ３−１及びＳ４−１の計３個のスイッチを通過する。また、ＳＲＳ送信信号ＳＲＳＴは、モジュールＭ２内のバンドパスフィルタＢＰＦ２１を通過する。また、（Ｒ−２）アンテナＡＮＴ２による受信（通常）の場合に、高周波受信信号ＲＸ２は、モジュールＭ２内のスイッチＳ４−２、モジュールＭ３内のスイッチＳ３−２及びＳ１−４の計３個のスイッチを通過する。また、高周波受信信号ＲＸ２は、モジュールＭ２内のバンドパスフィルタＢＰＦ２１を通過する。
【０１５３】
また、高周波信号送受信装置３１では、（Ｔ−３）アンテナＡＮＴ３による送信（ＳＲＳ）の場合に、ＳＲＳ送信信号ＳＲＳＴは、モジュールＭ５内のバンドパスフィルタＢＰＦ１１を通過する。また、（Ｒ−３）アンテナＡＮＴ３による受信（通常）の場合に、高周波受信信号ＲＸ３は、モジュールＭ５内のバンドパスフィルタＢＰＦ１１を通過する。
【０１５４】
また、高周波信号送受信装置３１では、（Ｔ−４）アンテナＡＮＴ４による送信（ＳＲＳ）の場合に、ＳＲＳ送信信号ＳＲＳＴは、モジュールＭ４内のバンドパスフィルタＢＰＦ２１を通過する。また、（Ｒ−４）アンテナＡＮＴ４による受信（通常）の場合に、高周波受信信号ＲＸ４は、モジュールＭ４内のバンドパスフィルタＢＰＦ２１を通過する。
【０１５５】
このように、高周波信号送受信装置３１では、ＳＲＳ送信信号ＳＲＳＴが通過する伝送経路と、高周波受信信号ＲＸが通過する伝送経路とで、経路損失の差が小さい。これにより、高周波信号送受信装置３１は、ＳＲＳを高い精度で行うことが可能になる。従って、高周波信号送受信装置３１は、移動体通信装置の通信品質を向上させることが可能である。
【０１５６】
また、モジュールＭ５の回路構成は、モジュールＭ３の回路構成と同じである。モジュールＭ４の回路構成は、モジュールＭ２の回路構成と同じである。これにより、高周波信号送受信装置３１は、モジュール品種数を削減でき、品種管理及び製造管理を容易にすることができ、ひいてはコストダウンを図ることが可能である。
【０１５７】
また、モジュールＭ３（モジュールＭ５）は、モジュールＭ１（図３参照）に、スイッチＳ１−５からＳ１−８までを追加したものである。従って、高周波信号送受信装置１において、モジュールＭ１を、モジュールＭ３で置き換えることができる。つまり、モジュールＭ３は、１Ｔ２Ｒ及び２Ｔ４Ｒに利用可能である。これにより、モジュールＭ３は、モジュール品種数を削減でき、品種管理及び製造管理を容易にすることができ、ひいてはコストダウンを図ることが可能である。
【０１５８】
＜第３の実施の形態＞
図８は、第３の実施の形態の高周波信号送受信装置の回路構成を示す図である。高周波信号送受信装置５１は、モジュールＭ２、Ｍ３、Ｍ４及びＭ６を含む。
【０１５９】
高周波信号送受信装置５１の構成要素のうち、比較例又は他の実施の形態と同一の構成要素については、同一の参照符号を付して、説明を省略する。
【０１６０】
モジュールＭ６は、アンテナＡＮＴ３に電気的に接続されている。
【０１６１】
モジュールＭ６が、本開示の「高周波信号送受信回路」に対応する。
【０１６２】
高周波信号送受信装置５１は、通常の通信の場合に、アンテナＡＮＴ１から電波を送信し、アンテナＡＮＴ１、ＡＮＴ２、ＡＮＴ３及びＡＮＴ４で電波を受信する、１Ｔ４Ｒに対応する。
【０１６３】
高周波信号送受信装置５１は、ＳＲＳの通信の場合に、アンテナＡＮＴ１から電波を送信する。また、高周波信号送受信装置５１は、ＳＲＳの通信の場合に、アンテナＡＮＴ２から電波を送信する。また、高周波信号送受信装置５１は、ＳＲＳの通信の場合に、アンテナＡＮＴ３から電波を送信する。また、高周波信号送受信装置５１は、ＳＲＳの通信の場合に、アンテナＡＮＴ４から電波を送信する。
【０１６４】
モジュールＭ６は、モジュールＭ２と比較して、スイッチ群Ｓ３に代えて、スイッチ群Ｓ３Ｂを含む。スイッチ群Ｓ３Ｂは、スイッチ群Ｓ３と比較して、スイッチＳ３−３からＳ３−５までを更に含む。
【０１６５】
スイッチＳ３−３の一端は、端子Ｅ１２に電気的に接続されている。スイッチＳ３−３の他端は、端子Ｅ１１に電気的に接続されている。
【０１６６】
スイッチＳ３−４の一端は、端子Ｅ１４に電気的に接続されている。スイッチＳ３−４の他端は、端子Ｅ１１に電気的に接続されている。
【０１６７】
スイッチＳ３−５の一端は、端子Ｅ１４に電気的に接続されている。スイッチＳ３−５の他端は、バンドパスフィルタＢＰＦ２１の一端に電気的に接続されている。
【０１６８】
モジュールＭ６では、端子Ｅ１２が、本開示の「第３端子」に対応する。端子Ｅ１４が、本開示の「第４端子」に対応する。端子Ｅ１１が、本開示の「第５端子」に対応する。スイッチＳ３−３が、本開示の「第５スイッチ」に対応する。スイッチＳ３−４が、本開示の「第６スイッチ」に対応する。スイッチＳ３−５が、本開示の「第７スイッチ」に対応する。
【０１６９】
スイッチ群Ｓ３Ｂ内の各スイッチは、制御ＩＣ５４から入力される制御信号Ｓｉｇ５３に基づいて、オン状態又はオフ状態になる。
【０１７０】
図９は、第３の実施の形態の高周波信号送受信装置の動作を説明する図である。詳しくは、図９は、（Ｔ）送信の場合、及び、（Ｒ）受信の場合に、高周波信号が通過する、モジュールＭ２、Ｍ３、Ｍ４及びＭ６内の部位を表す表６０を示す図である。
【０１７１】
（Ｔ）送信の場合は、
（Ｔ−１−１）アンテナＡＮＴ１による送信（通常）の場合、
（Ｔ−１−２）アンテナＡＮＴ１による送信（ＳＲＳ）の場合、
（Ｔ−２）アンテナＡＮＴ２による送信（ＳＲＳ）の場合、
（Ｔ−３）アンテナＡＮＴ３による送信（ＳＲＳ）の場合、
（Ｔ−４）アンテナＡＮＴ４による送信（ＳＲＳ）の場合、
を含む。
（Ｒ）受信の場合は、
（Ｒ−１）アンテナＡＮＴ１による受信（通常）の場合、
（Ｒ−２）アンテナＡＮＴ２による受信（通常）の場合、
（Ｒ−３）アンテナＡＮＴ３による受信（通常）の場合、
（Ｒ−４）アンテナＡＮＴ４による受信（通常）の場合、
を含む。
【０１７２】
（Ｔ−１−１）アンテナＡＮＴ１による送信（通常）の場合は、第２の実施の形態と同様であるので、説明を省略する。表６０内の第２行６２が、アンテナＡＮＴ１による送信（通常）の場合に、高周波送信信号ＴＸが通過する、モジュールＭ３内の部位を示す。
【０１７３】
（Ｔ−１−２）アンテナＡＮＴ１による送信（ＳＲＳ）の場合は、第２の実施の形態と同様であるので、説明を省略する。表６０内の第３行６３が、アンテナＡＮＴ１による送信（ＳＲＳ）の場合に、ＳＲＳ送信信号ＳＲＳＴが通過する、モジュールＭ３内の部位を示す。
【０１７４】
（Ｔ−２）アンテナＡＮＴ２による送信（ＳＲＳ）の場合は、第２の実施の形態と同様であるので、説明を省略する。表６０内の第５行６５が、アンテナＡＮＴ２による送信（ＳＲＳ）の場合に、ＳＲＳ送信信号ＳＲＳＴが通過する、モジュールＭ２及びＭ３内の部位を示す。
【０１７５】
（Ｔ−３）アンテナＡＮＴ３による送信（ＳＲＳ）の場合について、説明する。表６０内の第７行６７が、アンテナＡＮＴ３による送信（ＳＲＳ）の場合に、ＳＲＳ送信信号ＳＲＳＴが通過する、モジュールＭ３及びＭ６内の部位を示す。
【０１７６】
アンテナＡＮＴ３による送信（ＳＲＳ）の場合には、モジュールＭ３内のスイッチＳ１−１からＳ１−７までは、制御信号Ｓｉｇ３１に基づいて、オフ状態になる。モジュールＭ３内のスイッチＳ１−８は、制御信号Ｓｉｇ３１に基づいて、オン状態になる。モジュールＭ６内のスイッチＳ３−１からＳ３−４までは、制御信号Ｓｉｇ５３に基づいて、オフ状態になる。モジュールＭ６内のスイッチＳ３−５は、制御信号Ｓｉｇ５３に基づいて、オン状態になる。モジュールＭ６内のスイッチＳ４−１及びＳ４−２は、制御信号Ｓｉｇ４に基づいて、オフ状態になる。
【０１７７】
ＳＲＳ送信信号ＳＲＳＴが、モジュールＭ３の左側の端子Ｔ１１に入力される。パワーアンプＰＡ１１は、ＳＲＳ送信信号ＳＲＳＴを増幅して、スイッチＳ１−８の一端に出力する。スイッチＳ１−８を通過した後のＳＲＳ送信信号ＳＲＳＴは、モジュールＭ３の右側の端子Ｅ１３及びモジュールＭ６の左側の端子Ｅ１４を介して、スイッチＳ３−５の一端に入力される。スイッチＳ３−５を通過した後のＳＲＳ送信信号ＳＲＳＴは、バンドパスフィルタＢＰＦ２１の一端に入力される。バンドパスフィルタＢＰＦ２１は、ＳＲＳ送信信号ＳＲＳＴを帯域通過させる。バンドパスフィルタＢＰＦ２１を通過した後のＳＲＳ送信信号ＳＲＳＴは、モジュールＭ６の右側の端子Ａ１１を介して、アンテナＡＮＴ３に出力される。
【０１７８】
（Ｔ−４）アンテナＡＮＴ４による送信（ＳＲＳ）の場合について、説明する。表６０内の第９行６９が、アンテナＡＮＴ４による送信（ＳＲＳ）の場合に、ＳＲＳ送信信号ＳＲＳＴが通過する、モジュールＭ３、Ｍ４及びＭ６内の部位を示す。
【０１７９】
アンテナＡＮＴ４による送信（ＳＲＳ）の場合には、モジュールＭ３内のスイッチＳ１−１からＳ１−７までは、制御信号Ｓｉｇ３１に基づいて、オフ状態になる。モジュールＭ３内のスイッチＳ１−８は、制御信号Ｓｉｇ３１に基づいて、オン状態になる。モジュールＭ６内のスイッチＳ３−１からＳ３−３まで及びＳ３−５は、制御信号Ｓｉｇ５３に基づいて、オフ状態になる。モジュールＭ６内のスイッチＳ３−４は、制御信号Ｓｉｇ５３に基づいて、オン状態になる。モジュールＭ６内のスイッチＳ４−１及びＳ４−２は、制御信号Ｓｉｇ４に基づいて、オフ状態になる。モジュールＭ４内のスイッチＳ３−１は、制御信号Ｓｉｇ３に基づいて、オン状態になる。モジュールＭ４内のスイッチＳ３−２は、制御信号Ｓｉｇ３に基づいて、オフ状態になる。モジュールＭ４内のスイッチＳ４−１は、制御信号Ｓｉｇ４に基づいて、オン状態になる。モジュールＭ４内のスイッチＳ４−２は、制御信号Ｓｉｇ４に基づいて、オフ状態になる。
【０１８０】
ＳＲＳ送信信号ＳＲＳＴが、モジュールＭ３の左側の端子Ｔ１１に入力される。パワーアンプＰＡ１１は、ＳＲＳ送信信号ＳＲＳＴを増幅して、スイッチＳ１−８の一端に出力する。スイッチＳ１−８を通過した後のＳＲＳ送信信号ＳＲＳＴは、モジュールＭ３の右側の端子Ｅ１３及びモジュールＭ６の左側の端子Ｅ１４を介して、モジュールＭ６内のスイッチＳ３−４の一端に入力される。モジュールＭ６内のスイッチＳ３−４を通過した後のＳＲＳ送信信号ＳＲＳＴは、モジュールＭ６の右側の端子Ｅ１１及びモジュールＭ４の左側の端子Ｒ２１を介して、モジュールＭ４内のスイッチＳ３−１の一端に入力される。モジュールＭ４内のスイッチＳ３−１及びＳ４−１を通過した後のＳＲＳ送信信号ＳＲＳＴは、モジュールＭ４内のバンドパスフィルタＢＰＦ２１の一端に入力される。バンドパスフィルタＢＰＦ２１は、ＳＲＳ送信信号ＳＲＳＴを帯域通過させる。バンドパスフィルタＢＰＦ２１を通過した後のＳＲＳ送信信号ＳＲＳＴは、モジュールＭ４の右側の端子Ａ２１を介して、アンテナＡＮＴ４に出力される。
【０１８１】
（Ｒ−１）アンテナＡＮＴ１による受信（通常）の場合は、第２の実施の形態と同様であるので、説明を省略する。表６０内の第１行６１が、アンテナＡＮＴ１による受信（通常）の場合に、高周波受信信号ＲＸ１が通過する、モジュールＭ３内の部位を示す。
【０１８２】
（Ｒ−２）アンテナＡＮＴ２による受信（通常）の場合は、第２の実施の形態と同様であるので、説明を省略する。表６０内の第４行６４が、アンテナＡＮＴ２による受信（通常）の場合に、高周波受信信号ＲＸ２が通過する、モジュールＭ２及びＭ３内の部位を示す。
【０１８３】
（Ｒ−３）アンテナＡＮＴ３による受信（通常）の場合について、説明する。表６０内の第６行６６が、アンテナＡＮＴ３による受信（通常）の場合に、高周波受信信号ＲＸ３が通過する、モジュールＭ６内の部位を示す。
【０１８４】
アンテナＡＮＴ３による受信（通常）の場合には、モジュールＭ６内のスイッチＳ３−１及びＳ３−３からＳ３−５までは、制御信号Ｓｉｇ５３に基づいて、オフ状態になる。スイッチＳ３−２は、制御信号Ｓｉｇ５３に基づいて、オン状態になる。モジュールＭ６内のスイッチＳ４−１は、制御信号Ｓｉｇ４に基づいて、オフ状態になる。モジュールＭ６内のスイッチＳ４−２は、制御信号Ｓｉｇ４に基づいて、オン状態になる。
【０１８５】
高周波受信信号ＲＸ３が、アンテナＡＮＴ３から、モジュールＭ６の右側の端子Ａ１１を介して、バンドパスフィルタＢＰＦ２１の他端に入力される。バンドパスフィルタＢＰＦ２１は、高周波受信信号ＲＸ３を帯域通過させる。バンドパスフィルタＢＰＦ２１を通過した後の高周波受信信号ＲＸ３は、スイッチＳ４−２の他端に入力される。ローノイズアンプＬＮＡ２１は、スイッチＳ４−２を通過した後の高周波受信信号ＲＸ３を増幅して、スイッチＳ３−２の他端に出力する。スイッチＳ３−２を通過した高周波受信信号ＲＸ３は、モジュールＭ６の左側の端子Ｒ１１を介して、出力される。
【０１８６】
（Ｒ−４）アンテナＡＮＴ４による受信（通常）の場合について、説明する。表６０内の第８行６８が、アンテナＡＮＴ４による受信（通常）の場合に、高周波受信信号ＲＸ４が通過する、モジュールＭ４及びＭ６内の部位を示す。
【０１８７】
アンテナＡＮＴ４による受信（通常）の場合には、モジュールＭ６内のスイッチＳ３−１、Ｓ３−２、Ｓ３−４及びＳ３−５は、制御信号Ｓｉｇ５３に基づいて、オフ状態になる。スイッチＳ３−３は、制御信号Ｓｉｇ５３に基づいて、オン状態になる。モジュールＭ６内のスイッチＳ４−１及びＳ４−２は、制御信号Ｓｉｇ４に基づいて、オフ状態になる。モジュールＭ４内のスイッチＳ３−１は、制御信号Ｓｉｇ３に基づいて、オフ状態になる。スイッチＳ３−２は、制御信号Ｓｉｇ３に基づいて、オン状態になる。スイッチＳ４−１は、制御信号Ｓｉｇ４に基づいて、オフ状態になる。スイッチＳ４−２は、制御信号Ｓｉｇ４に基づいて、オン状態になる。
【０１８８】
高周波受信信号ＲＸ４が、アンテナＡＮＴ４から、モジュールＭ４の右側の端子Ａ２１を介して、モジュールＭ４内のバンドパスフィルタＢＰＦ２１の他端に入力される。バンドパスフィルタＢＰＦ２１は、高周波受信信号ＲＸ４を帯域通過させる。バンドパスフィルタＢＰＦ２１を通過した後の高周波受信信号ＲＸ４は、モジュールＭ４内のスイッチＳ４−２の他端に入力される。スイッチＳ４−２を通過した後の高周波受信信号ＲＸ４は、モジュールＭ４内のローノイズアンプＬＮＡ２１の入力端子に入力される。ローノイズアンプＬＮＡ２１は、高周波受信信号ＲＸ４を増幅して、モジュールＭ４内のスイッチＳ３−２の他端に出力する。スイッチＳ３−２を通過した後の高周波受信信号ＲＸ４は、モジュールＭ４の左側の端子Ｒ２１及びモジュールＭ６の右側の端子Ｅ１１を介して、モジュールＭ６内のスイッチＳ３−３の他端に入力される。スイッチＳ３−３を通過した後の高周波受信信号ＲＸ４は、モジュールＭ６の左側の端子Ｅ１２を介して、出力される。
【０１８９】
以上説明したように、高周波信号送受信装置５１では、（Ｔ−２）アンテナＡＮＴ２による送信（ＳＲＳ）の場合に、ＳＲＳ送信信号ＳＲＳＴは、モジュールＭ３内のスイッチＳ１−３、モジュールＭ２内のスイッチＳ３−１及びＳ４−１の計３個のスイッチを通過する。また、ＳＲＳ送信信号ＳＲＳＴは、モジュールＭ２内のバンドパスフィルタＢＰＦ２１を通過する。また、（Ｒ−２）アンテナＡＮＴ２による受信（通常）の場合に、高周波受信信号ＲＸ２は、モジュールＭ２内のスイッチＳ４−２、モジュールＭ３内のスイッチＳ３−２及びＳ１−４の計３個のスイッチを通過する。また、高周波受信信号ＲＸ２は、モジュールＭ２内のバンドパスフィルタＢＰＦ２１を通過する。
【０１９０】
また、高周波信号送受信装置５１では、（Ｔ−３）アンテナＡＮＴ３による送信（ＳＲＳ）の場合に、ＳＲＳ送信信号ＳＲＳＴは、モジュールＭ６内のバンドパスフィルタＢＰＦ２１を通過する。また、（Ｒ−３）アンテナＡＮＴ３による受信（通常）の場合に、高周波受信信号ＲＸ３は、モジュールＭ６内のバンドパスフィルタＢＰＦ２１を通過する。
【０１９１】
また、高周波信号送受信装置５１では、（Ｔ−４）アンテナＡＮＴ４による送信（ＳＲＳ）の場合に、ＳＲＳ送信信号ＳＲＳＴは、モジュールＭ４内のバンドパスフィルタＢＰＦ２１を通過する。また、（Ｒ−４）アンテナＡＮＴ４による受信（通常）の場合に、高周波受信信号ＲＸ４は、モジュールＭ４内のバンドパスフィルタＢＰＦ２１を通過する。
【０１９２】
このように、高周波信号送受信装置５１では、ＳＲＳ送信信号ＳＲＳＴが通過する伝送経路と、高周波受信信号ＲＸが通過する伝送経路とで、経路損失の差が小さい。これにより、高周波信号送受信装置５１は、ＳＲＳを高い精度で行うことが可能になる。従って、高周波信号送受信装置５１は、移動体通信装置の通信品質を向上させることが可能である。
【０１９３】
また、モジュールＭ６は、モジュールＭ５（図６参照）と比較して、パワーアンプＰＡ１１が省かれているとともに、スイッチの数が８個から５個に削減されている。これにより、モジュールＭ６は、モジュールＭ６と比較して、部品点数を削減でき、サイズを抑制でき、ひいてはコストダウンを図ることが可能である。
【０１９４】
＜第４の実施の形態＞
図１０は、第４の実施の形態の高周波信号送受信装置の回路構成を示す図である。高周波信号送受信装置８１は、モジュールＭ２、Ｍ４、Ｍ７及びＭ８を含む。
【０１９５】
高周波信号送受信装置８１の構成要素のうち、比較例又は他の実施の形態と同一の構成要素については、同一の参照符号を付して、説明を省略する。
【０１９６】
モジュールＭ７は、アンテナＡＮＴ１に電気的に接続されている。モジュールＭ２は、アンテナＡＮＴ２に電気的に接続されている。モジュールＭ８は、アンテナＡＮＴ３に電気的に接続されている。モジュールＭ４は、アンテナＡＮＴ４に電気的に接続されている。
【０１９７】
モジュールＭ７及びＭ８の各々が、本開示の「高周波信号送受信回路」に対応する。
【０１９８】
高周波信号送受信装置８１は、パワーアンプＰＡ１１を使用しないで、外部のパワーアンプで増幅後のＳＲＳ送信信号ＳＲＳＴ１及びＳＲＳＴ２を送信できる。
【０１９９】
高周波信号送受信装置８１は、ＳＲＳの通信の場合に、アンテナＡＮＴ２から電波を送信する。また、高周波信号送受信装置８１は、ＳＲＳの通信の場合に、アンテナＡＮＴ４から電波を送信する。
【０２００】
高周波信号送受信装置８１は、通常の通信の場合に、アンテナＡＮＴ２及びＡＮＴ４で電波を受信する。
【０２０１】
モジュールＭ７は、モジュールＭ３（図６参照）と比較して、端子Ｅ１５を、更に含む。
【０２０２】
モジュールＭ７では、端子Ｅ１５が、本開示の「第８端子」に対応する。
【０２０３】
モジュールＭ７は、モジュールＭ３（図６参照）と比較して、スイッチ群Ｓ１Ａに代えて、スイッチ群Ｓ１Ｂを含む。スイッチ群Ｓ１Ｂは、スイッチ群Ｓ１Ａと比較して、スイッチＳ１−９を更に含む。
【０２０４】
スイッチＳ１−９の一端は、端子Ｅ１５に電気的に接続されている。スイッチＳ１−９の他端は、端子Ｅ１１に電気的に接続されている。
【０２０５】
モジュールＭ７では、スイッチＳ１−９が、本開示の「第８スイッチ」に対応する。
【０２０６】
スイッチ群Ｓ１Ｂ内の各スイッチは、制御ＩＣ３３から入力される制御信号Ｓｉｇ３１に基づいて、オン状態又はオフ状態になる。
【０２０７】
モジュールＭ８の回路構成は、モジュールＭ７の回路構成と同じである。モジュールＭ８の端子Ｅ１４は、モジュールＭ７の端子Ｅ１３に電気的に接続されている。モジュールＭ８の端子Ａ１１は、アンテナＡＮＴ３に電気的に接続されている。
【０２０８】
高周波信号送受信装置８１の動作について説明する。
【０２０９】
（Ｔ）送信の場合は、
（Ｔ−１）アンテナＡＮＴ２による送信（ＳＲＳ）の場合、
（Ｔ−２）アンテナＡＮＴ４による送信（ＳＲＳ）の場合、
を含む。
（Ｒ）受信の場合は、
（Ｒ−１）アンテナＡＮＴ２による受信（通常）の場合、
（Ｒ−２）アンテナＡＮＴ４による受信（通常）の場合、
を含む。
【０２１０】
（Ｔ−１）アンテナＡＮＴ２による送信（ＳＲＳ）の場合について、説明する。
【０２１１】
アンテナＡＮＴ２による送信（ＳＲＳ）の場合には、モジュールＭ７内のスイッチＳ１−１からＳ１−４まで、及び、Ｓ１−６からＳ１−９までは、制御信号Ｓｉｇ３１に基づいて、オフ状態になる。スイッチＳ１−５は、制御信号Ｓｉｇ３１に基づいて、オン状態になる。モジュールＭ２内のスイッチＳ３−１は、制御信号Ｓｉｇ３に基づいて、オン状態になる。スイッチＳ３−２は、制御信号Ｓｉｇ３に基づいて、オフ状態になる。スイッチＳ４−１は、制御信号Ｓｉｇ４に基づいて、オン状態になる。スイッチＳ４−２は、制御信号Ｓｉｇ４に基づいて、オフ状態になる。
【０２１２】
外部のパワーアンプで増幅後のＳＲＳ送信信号ＳＲＳＴ１が、モジュールＭ７の左側の端子Ｅ１４を介して、スイッチＳ１−５の一端に入力される。スイッチＳ１−５を通過した後のＳＲＳ送信信号ＳＲＳＴ１は、モジュールＭ７の右側の端子Ｅ１１及びモジュールＭ２の左側の端子Ｒ２１を介して、スイッチＳ３−１の一端に入力される。スイッチＳ３−１を通過した後のＳＲＳ送信信号ＳＲＳＴ１は、スイッチＳ４−１の一端に入力される。スイッチＳ４−１を通過した後のＳＲＳ送信信号ＳＲＳＴ１は、バンドパスフィルタＢＰＦ２１の一端に入力される。バンドパスフィルタＢＰＦ２１は、ＳＲＳ送信信号ＳＲＳＴ１を帯域通過させる。バンドパスフィルタＢＰＦ２１を通過した後のＳＲＳ送信信号ＳＲＳＴ１は、モジュールＭ２の右側の端子Ａ２１を介して、アンテナＡＮＴ２に出力される。
【０２１３】
図１０中の矢印９１が、ＳＲＳ送信信号ＳＲＳＴ１が通過する、伝送経路を示す。矢印９１で示すように、ＳＲＳ送信信号ＳＲＳＴ１は、端子Ｅ１４→スイッチＳ１−５→端子Ｅ１１→端子Ｒ２１→スイッチＳ３−１→スイッチＳ４−１→バンドパスフィルタＢＰＦ２１→端子Ａ２１→アンテナＡＮＴ２の経路で、伝送される。
【０２１４】
（Ｔ−２）アンテナＡＮＴ４による送信（ＳＲＳ）の場合について、説明する。
【０２１５】
アンテナＡＮＴ４による送信（ＳＲＳ）の場合には、モジュールＭ８内のスイッチＳ１−１からＳ１−８までは、制御信号Ｓｉｇ３１に基づいて、オフ状態になる。スイッチＳ１−９は、制御信号Ｓｉｇ３１に基づいて、オン状態になる。モジュールＭ４内のスイッチＳ３−１は、制御信号Ｓｉｇ３に基づいて、オン状態になる。スイッチＳ３−２は、制御信号Ｓｉｇ３に基づいて、オフ状態になる。スイッチＳ４−１は、制御信号Ｓｉｇ４に基づいて、オン状態になる。スイッチＳ４−２は、制御信号Ｓｉｇ４に基づいて、オフ状態になる。
【０２１６】
外部のパワーアンプで増幅後のＳＲＳ送信信号ＳＲＳＴ２が、モジュールＭ８の左側の端子Ｅ１５を介して、スイッチＳ１−９の一端に入力される。スイッチＳ１−９を通過した後のＳＲＳ送信信号ＳＲＳＴ２は、モジュールＭ８の右側の端子Ｅ１１及びモジュールＭ４の左側の端子Ｒ２１を介して、スイッチＳ３−１の一端に入力される。スイッチＳ３−１を通過した後のＳＲＳ送信信号ＳＲＳＴ２は、スイッチＳ４−１の一端に入力される。スイッチＳ４−１を通過した後のＳＲＳ送信信号ＳＲＳＴ２は、バンドパスフィルタＢＰＦ２１の一端に入力される。バンドパスフィルタＢＰＦ２１は、ＳＲＳ送信信号ＳＲＳＴ２を帯域通過させる。バンドパスフィルタＢＰＦ２１を通過した後のＳＲＳ送信信号ＳＲＳＴ２は、モジュールＭ４の右側の端子Ａ２１を介して、アンテナＡＮＴ４に出力される。
【０２１７】
図１０中の矢印９３が、ＳＲＳ送信信号ＳＲＳＴ２が通過する、伝送経路を示す。矢印９３で示すように、ＳＲＳ送信信号ＳＲＳＴ２は、端子Ｅ１５→スイッチＳ１−９→端子Ｅ１１→端子Ｒ２１→スイッチＳ３−１→スイッチＳ４−１→バンドパスフィルタＢＰＦ２１→端子Ａ２１→アンテナＡＮＴ４の経路で、伝送される。
【０２１８】
（Ｒ−１）アンテナＡＮＴ２による受信（通常）の場合について、説明する。
【０２１９】
アンテナＡＮＴ２による受信（通常）の場合には、モジュールＭ７内のスイッチＳ１−１からＳ１−３まで、及び、スイッチＳ１−５からＳ１−９までは、制御信号Ｓｉｇ３１に基づいて、オフ状態になる。スイッチＳ１−４は、制御信号Ｓｉｇ３１に基づいて、オン状態になる。モジュールＭ２内のスイッチＳ３−１は、制御信号Ｓｉｇ３に基づいて、オフ状態になる。スイッチＳ３−２は、制御信号Ｓｉｇ３に基づいて、オン状態になる。スイッチＳ４−１は、制御信号Ｓｉｇ４に基づいて、オフ状態になる。スイッチＳ４−２は、制御信号Ｓｉｇ４に基づいて、オン状態になる。
【０２２０】
高周波受信信号ＲＸ１が、アンテナＡＮＴ２から、モジュールＭ２の右側の端子Ａ２１を介して、バンドパスフィルタＢＰＦ２１の他端に入力される。バンドパスフィルタＢＰＦ２１は、高周波受信信号ＲＸ１を帯域通過させる。バンドパスフィルタＢＰＦ２１を通過した後の高周波受信信号ＲＸ１は、スイッチＳ４−２の他端に入力される。スイッチＳ４−２を通過した後の高周波受信信号ＲＸ１は、ローノイズアンプＬＮＡ２１の入力端子に入力される。ローノイズアンプＬＮＡ２１は、高周波受信信号ＲＸ１を増幅して、スイッチＳ３−２の他端に出力する。スイッチＳ３−２を通過した後の高周波受信信号ＲＸ１は、モジュールＭ２の左側の端子Ｒ２１及びモジュールＭ７の右側の端子Ｅ１１を介して、スイッチＳ１−４の他端に入力される。スイッチＳ１−４を通過した後の高周波受信信号ＲＸ１は、モジュールＭ７の左側の端子Ｅ１２を介して出力される。
【０２２１】
図１０中の矢印９２が、高周波受信信号ＲＸ１が通過する、伝送経路を示す。矢印９２で示すように、高周波受信信号ＲＸ１は、アンテナＡＮＴ２→端子Ａ２１→バンドパスフィルタＢＰＦ２１→スイッチＳ４−２→ローノイズアンプＬＮＡ２１→スイッチＳ３−２→端子Ｒ２１→端子Ｅ１１→スイッチＳ１−４→端子Ｅ１２の経路で、伝送される。
【０２２２】
（Ｒ−２）アンテナＡＮＴ４による受信（通常）の場合について、説明する。
【０２２３】
アンテナＡＮＴ４による受信（通常）の場合には、モジュールＭ８内のスイッチＳ１−１からＳ１−３まで、及び、スイッチＳ１−５からＳ１−９までは、制御信号Ｓｉｇ３１に基づいて、オフ状態になる。スイッチＳ１−４は、制御信号Ｓｉｇ３１に基づいて、オン状態になる。モジュールＭ４内のスイッチＳ３−１は、制御信号Ｓｉｇ３に基づいて、オフ状態になる。スイッチＳ３−２は、制御信号Ｓｉｇ３に基づいて、オン状態になる。スイッチＳ４−１は、制御信号Ｓｉｇ４に基づいて、オフ状態になる。スイッチＳ４−２は、制御信号Ｓｉｇ４に基づいて、オン状態になる。
【０２２４】
高周波受信信号ＲＸ２が、アンテナＡＮＴ４から、モジュールＭ４の右側の端子Ａ２１を介して、バンドパスフィルタＢＰＦ２１の他端に入力される。バンドパスフィルタＢＰＦ２１は、高周波受信信号ＲＸ２を帯域通過させる。バンドパスフィルタＢＰＦ２１を通過した後の高周波受信信号ＲＸ２は、スイッチＳ４−２の他端に入力される。スイッチＳ４−２を通過した後の高周波受信信号ＲＸ２は、ローノイズアンプＬＮＡ２１の入力端子に入力される。ローノイズアンプＬＮＡ２１は、高周波受信信号ＲＸ２を増幅して、スイッチＳ３−２の他端に出力する。スイッチＳ３−２を通過した後の高周波受信信号ＲＸ２は、モジュールＭ４の左側の端子Ｒ２１及びモジュールＭ８の右側の端子Ｅ１１を介して、スイッチＳ１−４の他端に入力される。スイッチＳ１−４を通過した後の高周波受信信号ＲＸ２は、モジュールＭ８の左側の端子Ｅ１２を介して出力される。
【０２２５】
図１０中の矢印９４が、高周波受信信号ＲＸ２が通過する、伝送経路を示す。矢印９４で示すように、高周波受信信号ＲＸ２は、アンテナＡＮＴ４→端子Ａ２１→バンドパスフィルタＢＰＦ２１→スイッチＳ４−２→ローノイズアンプＬＮＡ２１→スイッチＳ３−２→端子Ｒ２１→端子Ｅ１１→スイッチＳ１−４→端子Ｅ１２の経路で、伝送される。
【０２２６】
第４の実施の形態の高周波信号送受信装置８１は、第２の実施の形態の高周波信号送受信装置３１の効果に加えて、次の効果を奏する。
【０２２７】
高周波信号送受信装置８１は、パワーアンプＰＡ１１を使用しないで、外部のパワーアンプで増幅後のＳＲＳ送信信号ＳＲＳＴ１及びＳＲＳＴ２を、既存のアンテナＡＮＴ２及びＡＮＴ４を活用して、送信できる。
【０２２８】
これにより、高周波信号送受信装置８１は、例えば、新たな通信バンドを追加で利用する場合に、新たな通信バンドのＳＲＳ送信信号ＳＲＳＴ１及びＳＲＳＴ２を外部のパワーアンプから受け取って、既存のアンテナＡＮＴ２及びＡＮＴ４から送信できる。従って、高周波信号送受信装置８１は、新たな通信バンドを追加で利用することを容易とすることが可能である。また、高周波信号送受信装置８１は、既存のアンテナＡＮＴ２及びＡＮＴ４を活用できるので、部品点数の抑制、コストの抑制、及び、装置スペースの抑制を図ることができる。
【０２２９】
なお、上記した実施の形態は、本発明の理解を容易にするためのものであり、本発明を限定して解釈するためのものではない。本発明は、その趣旨を逸脱することなく、変更／改良され得るとともに、本発明にはその等価物も含まれる。
【符号の説明】
【０２３０】
１、３１、５１、８１、１００  高周波信号送受信装置
３、４、３３、５４、１０３、１０４  制御ＩＣ
ＡＮＴ１、ＡＮＴ２、ＡＮＴ３、ＡＮＴ４  アンテナ
ＢＰＦ１１、ＢＰＦ２１  バンドパスフィルタ
ＬＮＡ１１、ＬＮＡ２１  ローノイズアンプ
Ｍ１、Ｍ２、Ｍ３、Ｍ４、Ｍ５、Ｍ６、Ｍ７、Ｍ８、Ｍ１０１、Ｍ１０２  モジュール
ＰＡ１１  パワーアンプ
Ｓ１、Ｓ１Ａ、Ｓ１Ｂ、Ｓ３、Ｓ３Ｂ、Ｓ４、Ｓ１０１、Ｓ１０２、Ｓ１０３、Ｓ１０４  スイッチ群
【図１】
2020182205.tif 000003
【図２】
2020182205.tif 000004
【図３】
2020182205.tif 000005
【図４】
2020182205.tif 000006
【図５】
2020182205.tif 000007
【図６】
2020182205.tif 000008
【図７】
2020182205.tif 000009
【図８】
2020182205.tif 000010
【図９】
2020182205.tif 000011
【図１０】
2020182205.tif 000012